(57)【要約】少なくとも、１つまたは複数の通信アプリケーションと、ＳＩＰにおけるサーバであるセッション開始プロトコルマネージングサーバ（ＳＩＰ−ＭＳ）とが、ＳＩＰ−ＭＳと、このＳＩＰ−ＭＳに登録された各通信アプリケーションとの間で、ＳＩＰでのシグナリング処理が可能に実装され、さらに、ＳＩＰ−ＭＳには、ＳＩＰにおけるアドレス（Ｋｅｙ−ＳＩＰ−ＵＲＩ）が与えられた通信ノード（中核通信ノード）とする。また、この中核通信ノードと周辺通信ノードとからなるシグナリングネットワークを形成する。さらに、このシグナリングネットワーク、中核通信ノード、ＩＰネットワークから通信ネットワークシステムを形成し、この通信ネットワークシステムにおいて、ＳＩＰでのシグナリング処理を行うことでセッションが確立される。
2004075518.tif 000002
【特許請求の範囲】
【請求項１】
少なくとも
１つまたは複数の通信アプリケーションと、
該通信アプリケーションに対して、少なくともセッション開始プロトコル（以下、請求の範囲において「ＳＩＰ」という。）におけるメッセージを並列に同時送信可能であって、かつ、各通信アプリケーションのＳＩＰにおけるアドレス（以下、請求の範囲において「ＣＡ−ＳＩＰ−ＵＲＩ」という。）を登録および登録解除自在な、ＳＩＰにおけるサーバであるセッション開始プロトコルマネージングサーバ（以下、請求の範囲において「ＳＩＰ−ＭＳ」という。）とが、
ＳＩＰ−ＭＳと、該ＳＩＰ−ＭＳに登録された各通信アプリケーションとの間で、ＳＩＰでのシグナリング処理が可能に実装され、
さらに、
ＳＩＰ−ＭＳには、ＳＩＰにおけるアドレス（以下、請求の範囲において「Ｋｅｙ−ＳＩＰ−ＵＲＩ」という。）が与えられたことを特徴とする通信ノード（以下、請求の範囲において「中核通信ノード」という。）。
【請求項２】
複数の通信ノードで構成されるシグナリングネットワークにおいて、
通信ノードの１つは、中核通信ノードであって、
該中核通信ノードと、中核通信ノード以外の通信ノード（以下、請求の範囲において「周辺通信ノード」という。）とが双方向に通信可能な構成であって、
かつ、
ＳＩＰ−ＭＳには、各通信アプリケーションのＣＡ−ＳＩＰ−ＵＲＩと、周辺通信ノードのＳＩＰにおけるアドレス（以下、請求の範囲において「ＣＮ−ＳＩＰ−ＵＲＩ」という。）とを登録および登録解除自在であって、
中核通信ノードにおいて、ＳＩＰ−ＭＳと該ＳＩＰ−ＭＳに登録された各通信アプリケーションとの間でＳＩＰでのシグナリング処理が可能であるとともに、
中核通信ノードを介した周辺通信ノードとの通信によって、ＳＩＰ−ＭＳと該ＳＩＰ−ＭＳに登録された周辺通信ノードとの間でＳＩＰでのシグナリング処理が可能であり、
さらに、
ＳＩＰ−ＭＳには、Ｋｅｙ−ＳＩＰ−ＵＲＩが与えられたことを特徴とするシグナリングネットワーク。
【請求項３】
中核通信ノードを複数備え、
１つの中核通信ノードのＳＩＰ−ＭＳに、他の中核通信ノードのＳＩＰ−ＭＳのＫｅｙ−ＳＩＰ−ＵＲＩが登録および登録解除自在である請求の範囲２に記載のシグナリングネットワーク。
【請求項４】
中核通信ノードを複数備え、
各中核通信ノードのＳＩＰ−ＭＳ相互において、
Ｋｅｙ−ＳＩＰ−ＵＲＩを登録および登録解除自在である請求の範囲２に記載のシグナリングネットワーク。
【請求項５】
インターネットプロトコルを基礎とした通信ネットワーク（以下、請求の範囲において「ＩＰネットワーク」という。）に備わる、
少なくともＳＩＰにおけるメッセージを送信可能であって、かつ、Ｋｅｙ−ＳＩＰ−ＵＲＩの登録および登録解除自在なサーバであるセッション開始プロトコルプロキシサーバ（以下、請求の範囲において「ＳＩＰ−ＰＳ」という。）、
または、
少なくともＳＩＰにおけるメッセージを並列に同時送信可能であって、かつ、Ｋｅｙ−ＳＩＰ−ＵＲＩの登録および登録解除自在なサーバであるセッション開始プロトコルフォーキングプロキシサーバ（以下、請求の範囲において「ＳＩＰ−ＦＰＳ」という。）に、
Ｋｅｙ−ＳＩＰ−ＵＲＩが登録および登録解除自在である請求の範囲２ないし４いずれかに記載のシグナリングネットワーク。
【請求項６】
ＳＩＰ−ＰＳまたは／およびＳＩＰ−ＦＰＳが１つまたは複数備えられたＩＰネットワークと、
さらに
１つまたは複数の、請求の範囲５に記載のシグナリングネットワーク
および／または
１つまたは複数の、ＩＰネットワークのＳＩＰ−ＰＳまたはＳＩＰ−ＦＰＳにＳＩＰ−ＭＳのＫｅｙ−ＳＩＰ−ＵＲＩが登録および登録解除自在な中核通信ノードとからなる通信ネットワークシステムにおいて、
中核通信ノードを介して、中核通信ノードのＳＩＰ−ＭＳと、ＳＩＰ−ＰＳまたはＳＩＰ−ＦＰＳとの間で双方向の通信が可能に構成されるとともに、
ＳＩＰ−ＰＳまたはＳＩＰ−ＦＰＳと、該ＳＩＰ−ＰＳまたはＳＩＰ−ＦＰＳにＫｅｙ−ＳＩＰ−ＵＲＩが登録されたＳＩＰ−ＭＳとの間において、ＳＩＰでのシグナリング処理が可能であることが特徴である通信ネットワークシステム。
【請求項７】
シグナリングネットワークを構成しない通信ノード（以下、請求の範囲において「一般通信ノード」という。）のＳＩＰにおけるアドレスがＩＰネットワークのＳＩＰ−ＰＳまたはＳＩＰ−ＦＰＳに登録および登録解除自在であって、
ＳＩＰ−ＰＳまたはＳＩＰ−ＦＰＳと、該ＳＩＰ−ＰＳまたはＳＩＰ−ＦＰＳに登録された一般通信ノードとの間で双方向の通信が可能であるとともに、ＳＩＰでのシグナリング処理が可能である、請求の範囲６に記載の通信ネットワークシステム。
【請求項８】
ＩＰネットワークに、セッション開始プロトコル登録サーバ（以下、請求の範囲において「ＳＩＰ−Ｒ」という。）またはセッション開始プロトコルロケーションサーバ（以下、請求の範囲において「ＳＩＰ−ＬＳ」という。）あるいはさらにセッション開始プロトコルリダイレクトサーバ（以下、請求の範囲において「ＳＩＰ−ＲＳ」という。）を備える、請求の範囲６または７に記載の通信ネットワークシステム。
【請求項９】
請求の範囲６ないし８いずれかに記載の通信ネットワークシステムにおいて、
発信元通信ノードから、Ｋｅｙ−ＳＩＰ−ＵＲＩによって指定された着信側ＳＩＰ−ＭＳへの接続要求メッセージを、ＩＰネットワークのＳＩＰ−ＰＳまたはＳＩＰ−ＦＰＳに送信し、
次いで、該接続要求メッセージを受信したＩＰネットワークのＳＩＰ−ＰＳまたはＳＩＰ−ＦＰＳは、
該ＳＩＰ−ＰＳまたはＳＩＰ−ＦＰＳに着信側ＳＩＰ−ＭＳのＫｅｙ−ＳＩＰ−ＵＲＩが登録されている場合には、着信側ＳＩＰ−ＭＳに上記接続要求メッセージを送信し、
該接続要求メッセージを受信したＩＰネットワークのＳＩＰ−ＰＳまたはＳＩＰ−ＦＰＳに、着信側ＳＩＰ−ＭＳのＫｅｙ−ＳＩＰ−ＵＲＩが登録されていない場合には、ＩＰネットワークの他のＳＩＰ−ＰＳまたはＳＩＰ−ＦＰＳとの間で上記接続要求メッセージを転送することで、
ＩＰネットワークを経由して、上記接続要求メッセージを指定された着信側ＳＩＰ−ＭＳに送信し、
次いで、上記接続要求メッセージを受信した着信側ＳＩＰ−ＭＳは、該着信側ＳＩＰ−ＭＳに登録されているＣＡ−ＳＩＰ−ＵＲＩとＣＮ−ＳＩＰ−ＵＲＩを用いて、各通信アプリケーションおよび周辺通信ノードに上記接続要求メッセージを並列に同時送信し、
上記接続要求メッセージを送信された各通信アプリケーションおよび周辺通信ノードの中から選択された１つの通信アプリケーションまたは周辺通信ノードから、上記接続要求メッセージが経由した通信経路を逆経由して発信元通信ノードに対して接続応答メッセージを送信し、
上記接続応答メッセージが発信元通信ノードに受信されることで、
発信元通信ノードと、上記選択された１つの通信アプリケーションまたは周辺通信ノードとの間にセッションが確立されることによって相互に通信可能となることを特徴とする通信ネットワークシステムにおける通信方法。
【請求項１０】
発信元通信ノードが中核通信ノードであり、発信元通信ノードに実装された通信アプリケーションから、少なくともＫｅｙ−ＳＩＰ−ＵＲＩによって指定された着信側ＳＩＰ−ＭＳへの接続要求メッセージを、発信元通信ノードのＳＩＰ−ＭＳに送信することによって、上記着信側で選択された１つの通信アプリケーションまたは周辺通信ノードとの間にセッションが確立されて相互に通信可能となる請求の範囲９に記載の通信ネットワークシステムにおける通信方法。
【請求項１１】
発信元通信ノードが周辺通信ノードであり、該周辺通信ノードから、該周辺通信ノードのＣＮ−ＳＩＰ−ＵＲＩが登録されたシグナリングネットワークの中核通信ノードのＳＩＰ−ＭＳに、少なくともＫｅｙ−ＳＩＰ−ＵＲＩによって指定された着信側ＳＩＰ−ＭＳへの接続要求メッセージを送信することによって、上記着信側で選択された１つの通信アプリケーションまたは周辺通信ノードとの間にセッションが確立されて相互に通信可能となる請求の範囲９に記載の通信ネットワークシステムにおける通信方法。
【請求項１２】
発信元通信ノードが一般通信ノードである、請求の範囲９に記載の通信ネットワークシステムにおける通信方法。
【請求項１３】
請求の範囲８に記載の通信ネットワークシステムにおいて、
ＳＩＰ−Ｒは、少なくとも、ＳＩＰ−ＭＳのＫｅｙ−ＳＩＰ−ＵＲＩおよび／または一般通信ノードのＳＩＰにおけるアドレスの登録を受けるとともに、
ＳＩＰ−ＬＳには、ＳＩＰ−Ｒの登録情報がストアされ、
ＳＩＰ−ＬＳは、ＩＰネットワークのＳＩＰ−ＰＳまたはＳＩＰ−ＦＰＳからのアドレスの参照リクエストにレスポンス可能である、
あるいは、
ＳＩＰ−ＬＳは、ＳＩＰ−ＲＳを介して、ＩＰネットワークのＳＩＰ−ＰＳまたはＳＩＰ−ＦＰＳからのアドレスの参照リクエストにレスポンス可能である、請求の範囲９ないし１２いずれかに記載の通信ネットワークシステムにおける通信方法。
【発明の詳細な説明】
【技術分野】  本発明は、セッション開始プロトコル（以下、「ＳＩＰ」という。）でのシグナリング処理が可能な、通信ノード、シグナリング（アプリケーション層制御）ネットワーク、通信ネットワークシステムおよびその通信方法に関する。
従来背景
通信ネットワークのインターネットプロトコル（ＩＰ）化において、ユーザ間にはエンド・ツー・エンドにおけるセッションの確立・終了・維持・転送などの管理・制御機能、即ち、ＩＰシグナリングが必要となる。また、通信ノードの性能や多種多様なメディアコンテンツに関する情報をＩＰシグナリングによって伝えることで、ユーザ間において最適なマルチメディア通信が実現できる。現在、そのシグナリングプロトコルとしてＳＩＰ（Ｓｅｓｓｉｏｎ  Ｉｎｉｔｉａｔｉｏｎ  Ｐｒｏｔｏｃｏｌ）が有力視されている。ＳＩＰは、ＲＦＣ３２６１（「ＳＩＰ：Ｓｅｓｓｉｏｎ  Ｉｎｉｔｉａｔｉｏｎ  Ｐｒｏｔｏｃｏｌ」、Ｎｅｔｗｏｒｋ  Ｗｏｒｋｉｎｇ  Ｇｒｏｕｐ、Ｒｅｑｕｅｓｔ  ｆｏｒ  Ｃｏｍｍｅｎｔｓ：３２６１、Ｏｂｓｏｌｅｔｅｓ：２５４３、Ｃａｔｅｇｏｒｙ：Ｓｔａｎｄａｒｄｓ  Ｔｒａｃｋ、Ｊｕｎｅ  ２００２）で標準化されている。
ＳＩＰは、単数あるいは複数の相手とのセッションを確立・変更・終了するためのシグナリング（アプリケーション層制御）プロトコルである。ここでのセッションとは、インターネット通話、マルチメディア配信、マルチメディアカンファレンスを含むものである。ＳＩＰはセッションの確立・変更・終了を行うだけで、セッションの内容には関連しないため、既存の他の通信技術との共存が可能であり、また、拡張性にも優れる。そのため、ＳＩＰを利用することで以下のことが容易に実現可能となる。
例えば、保留・転送などの一般電話機能に対応する通信機能の実現（一般的電話機能）、メッセージのリアルタイムな授受の実現（インスタントメッセージ機能）、相手のＳＩＰ−ＵＲＩ（ＳＩＰにおける通信ノードを特定するためのアドレス）が判明している場合における相手の現在の在席状態の把握（プレゼンス機能）、相手の現在位置にかかわらず相手の最寄りの通信ノードへのアクセスを可能にすることなどである。
ＳＩＰについては、詳しくは、上記ＲＦＣ３２６１に記載されているので、以下では、簡略的に概要を記すことにする。なお、ＲＦＣ標準においてＳＩＰについての変更があったとしても、その本質に関わる変更がない限り、本発明におけるＳＩＰは、最新のＲＦＣに準拠することが可能である。
ＳＩＰにおけるネットワークエレメントとしては、ユーザエージェント（以下、「ＳＩＰ−ＵＡ」という。）などが挙げられる。
ＳＩＰ−ＵＡは、ユーザエージェントクライアント（以下、「ＵＡＣ」という。）としてもユーザエージェントサーバ（以下、「ＵＡＳ」という。）としても動作可能な論理的エンティティであって、例えば、ＳＩＰ−ＵＡによって提供されるＩＰ電話（以下、「ＳＩＰ電話」という。なお、ＳＩＰ電話は、後述のＳＩＰ固定電話、ＳＩＰソフトウェア電話、ＳＩＰ携帯電話を含む。）などがある。
ＵＡＣは、新しいリクエストを生成する論理的エンティティであり、ＵＡＳは、リクエストに対してレスポンスを生成する論理的エンティティである。
ここで、リクエストとは、特定の操作を実行するために、クライアントからサーバに送られたＳＩＰメッセージのことであり、レスポンスとは、クライアントからサーバに送られたリクエストのステータスを示すために、サーバからクライアントに送られたＳＩＰメッセージのことである。
ＳＩＰメッセージとは、ＳＩＰの一部としてＳＩＰエレメント間で送られるデータであり、リクエストかレスポンスのいずれかである。
また、サーバは、リクエストを受信処理し、そのリクエストにレスポンスを送り返すためのネットワークエレメントであり、クライアントは、リクエストを送りレスポンスを受け取るあらゆるネットワークエレメントである。
サーバの例としては、プロキシサーバ、リダイレクトサーバ、登録サーバなどが挙げられる。但し、サーバは、プロキシサーバ、リダイレクトサーバ、登録サーバとしての機能全てを必ず実装しなければならないものではない。
プロキシサーバは、他のクライアントに代わってリクエストを生成するために、サーバとクライアント両方として動作する中間エンティティである。プロキシサーバは、ルーティング機能なども有している。つまり、たとえば、ＵＡＣからのリクエストを、ＵＡＳを含む他のサーバへ中継する役割を果たす。
リダイレクトサーバは、受け取ったリクエストに対して、３００番台のレスポンスを生成するＵＡＳである。つまり、リクエストを受け取り、着信側の現在のアドレスを発信側に知らせる役割を有する。例えば、ＵＡＣは、リダイレクトサーバから直接、あるいはプロキシサーバを経由して返信された着信側のアドレスに、リクエストを発信し直す。リダイレクトサーバは、プロキシサーバとは異なり、リクエストを転送しない。
登録サーバは、ＲＥＧＩＳＴＥＲリクエストを受け入れ、それがハンドリングするドメインのロケーションサービスに、そのリクエストで受け取った情報を置くサーバである。つまり、例えば、ＵＡＣの現在アドレスを登録するリクエスト（ＲＥＧＩＳＴＥＲリクエスト）を受ける。登録サーバは、一般的には、プロキシサーバやリダイレクトサーバと同じコンピュータ上に実装されて作動する。
また、プロキシサーバ、リダイレクトサーバ、登録サーバとは別に、登録サーバからの登録情報を蓄積し、リダイレクトサーバやプロキシサーバによる着信側ＳＩＰ−ＵＲＩの参照リクエストにレスポンスするロケーションサーバを設けることも可能である。
ＳＩＰは、メソッドを指定することでコマンドを実行する。メソッドとは、サーバ上でリクエストが呼び出されることを意味する主要な機能であり、リクエスト自身によって伝えられる。メソッドの種類には、ＩＮＶＩＴＥ、ＡＣＫ、ＢＹＥ、ＣＡＮＣＥＬ、ＯＰＴＩＯＮＳ、ＲＥＧＩＳＴＥＲ、ＩＮＦＯなどがある。ここで例示列挙したメソッドの簡略的な内容は、以下のとおりである。
ＩＮＶＩＴＥ：ユーザのコール（呼）を開始する。
ＡＣＫ：ＩＮＶＩＴＥに対するレスポンスを受け取ったことを知らせる。
ＢＹＥ：コールを終了する。
ＣＡＮＣＥＬ：レスポンスを受けていないＩＮＶＩＴＥリクエストをキャンセルする。
ＯＰＴＩＯＮＳ：サーバの能力情報を問い合わせる。
ＲＥＧＩＳＴＥＲ：ユーザの現在アドレスを登録する。
ＩＮＦＯ：セッションに関係する情報を伝える。
また、ＳＩＰは、以下のようなレスポンスコードを有する。
１００番台のレスポンス番号は、リクエストを受信し処理中であることを表す暫定レスポンスであり、例えば、１００  Ｔｒｙｉｎｇ、１８０  Ｒｉｎｇｉｎｇなどと表される。
２００番台のレスポンス番号は、リクエストが理解され受け入れられたことを表す成功レスポンスであり、例えば、２００  ＯＫなどと表される。
３００番台のレスポンス番号は、リクエストを完了するためにさらなる処理が必要であることを表すリダイレクトレスポンスであり、例えば、３００  Ｍｕｌｔｉｐｌｅ  Ｃｈｏｉｃｅｓ、３０１  Ｍｏｖｅｄ  Ｐｅｒｍａｎｅｎｔｌｙなどと表せる。
４００番台のレスポンス番号は、リクエストの書式が間違っていたか、このサーバでは処理できないことを表すクライアントエラーレスポンスであり、例えば、４００  Ｂａｄ  Ｒｅｑｕｅｓｔ、４０１  Ｕｎａｕｔｈｏｒｉｚｅｄなどと表される。
５００番台のレスポンス番号は、サーバでのリクエスト処理に失敗したことを表すサーバエラーレスポンスであり、例えば、５００  Ｓｅｒｖｅｒ  Ｉｎｔｅｒｎａｌ  Ｅｒｒｏｒ、５０１  Ｎｏｔ  Ｉｍｐｌｅｍｅｎｔｅｄなどと表される。
６００番台のレスポンス番号は、リクエストをどのサーバでも処理できないことを表すグローバルエラーレスポンスであり、例えば、６００  Ｂｕｓｙ  Ｅｖｅｒｙｗｈｅｒｅ、６０３  Ｄｅｃｌｉｎｅなどと表される。
ＳＩＰは、多くのＳＩＰ−ＵＡとのセッションを確立・制御することができるので、複数の通信システムが混在する統合ネットワークの運用に適したプロトコルである。例えば、発信側ユーザと着信ユーザが呼設定を行うとき、セッション開始プロトコルフォーキングプロキシサーバ（ＳＩＰ−ＦＰＳ）を用いた場合、受け取ったＩＮＶＩＴＥリクエストから着信側ユーザを割り出し、もしその着信側ユーザが利用可能な通信ノードや通信ノード内の通信アプリケーションを複数登録していると、それぞれに対して並列に逐次または同時転送を行うことが可能である。ＳＩＰ−ＦＰＳについての詳細については、「Ｇ．Ｃａｍａｒｉｌｌｏ、ＳＩＰ  Ｄｅｍｙｓｔｉｆｉｅｄ、Ｃｈａｐｔｅｒ  ５、ＭｃＧｒａｗ−Ｈｉｌｌ、２００２」に記載されている。
ここにいう逐次転送と同時転送の相違は、第１図の例において後述する。
ここで、第１図、第２図を基に、一例として、通信システム利用者（以下、ユーザと言う。）が複数の通信ノードや、通信ノードに実装される通信アプリケーションを利用して、マルチメディア通信を行う際の、ＳＩＰ−ＦＰＳを介した従来的な通信システム構成と通信ステップ（シグナリング処理）を一例として説述する。なお、ここでの、ＳＩＰ−ＦＰＳは、登録サーバとしての機能を有するものとする。
第１図では、発信側ユーザは通信ノードとして、ＳＩＰ−ＵＡを備えたＩＰ固定電話（以下、「ＳＩＰ固定電話」という。）（１）を利用するものとする。このＳＩＰ固定電話（１）は、インターネットプロトコルを基礎とした通信ネットワーク（以下、ＩＰネットワークと言う。）（１３）に備わるＳＩＰ−ＦＰＳ（２）にアクセス可能とする。アクセス方法は、無線手段によるものでも有線手段によるものでもよいが、ここでは、無線方式とする。
一方、着信側ユーザは通信ノードとしてＳＩＰ−ＵＡを備えたＩＰ携帯電話（以下、「ＳＩＰ携帯電話」という。）（５）、可搬型パーソナルコンピュータまたは携帯情報端末のようなモバイルノード（１００）とを有し、このモバイルノード（１００）には通信アプリケーションであるＳＩＰ−ＵＡを備えたインスタントメッセンジャー（以下、「ＳＩＰ−ＩＭ」という。）（３）と、同じく通信アプリケーションであるＳＩＰ−ＵＡを備えたＩＰソフトウェア電話（以下、「ＳＩＰソフトウェア電話」という。）（４）とが実装されているものとする。
発信側ユーザのＳＩＰ固定電話（１）と着信側ユーザのＳＩＰソフトウェア電話（４）との間に無線通信のセッションを確立して、双方向の無線通信を行うには、以下のシグナリング処理によることとなる。
なお、第１図、第２図におけるシグナリング処理では、基本的には、上方から下方に向かって通信ステップが経過するものであるが、必ずしも逐一順次に処理されるものではなく、およそ並列処理されるステップも存在する。
まず、発信側ユーザは、着信側ユーザに対するコール（呼）を開始するために、接続要求メッセージであるＩＮＶＩＴＥリクエスト（以下、「ＩＮＶＩＴＥ」という。）をＩＰネットワーク（１３）のＳＩＰ−ＦＰＳ（２）に対して送信する。ＩＮＶＩＴＥを受信したＩＰネットワーク（１３）のＳＩＰ−ＦＰＳ（２）は、ＩＮＶＩＴＥの内容から着信側ユーザを割り出し、その着信側ユーザが有するＳＩＰ携帯電話（５）、ＳＩＰソフトウェア電話（４）、ＳＩＰ−ＩＭ（３）に対して、ＩＮＶＩＴＥを分岐（Ｆｏｒｋｉｎｇ）して並列に同時転送を行う（第１図において、ＩＮＶＩＴＥ  ｂｒａｎｃｈ＝１、ＩＮＶＩＴＥ  ｂｒａｎｃｈ＝２、ＩＮＶＩＴＥ  ｂｒａｎｃｈ＝３に相当する。）。なお、ここに「着信側ユーザが有する」と表現したが、正確には、ＩＰネットワーク（１３）のＳＩＰ−ＦＰＳ（２）に登録されているという意味であり、このことは後述する。分岐されたＩＮＶＩＴＥを転送されたＳＩＰ−ＩＭ（３）、ＳＩＰソフトウェア電話（４）、ＳＩＰ携帯電話（５）のうち、通信圏外などによって通信不能の状態にあるＳＩＰ携帯電話（５）は、４００番台のクライアントエラーレスポンスをＳＩＰ−ＦＰＳ（２）に対して送信し、これに対してＳＩＰ−ＦＰＳ（２）はＡＣＫを送信する（第１図では、４０４  ｎｏｔ  ａｖａｉｌａｂｌｅ、ＡＣＫ  ｂｒａｎｃｈ＝３に相当する。）。一方、着信側ユーザは、ＩＮＶＩＴＥを受信した利用可能状態にあるＳＩＰソフトウェア電話（４）とＳＩＰ−ＩＭ（３）の中から任意に選択することができるが、この例では、発信元通信ノードであるＳＩＰ固定電話（１）と共通の通信システムに属するＳＩＰソフトウェア電話（４）が呼び出され、さらにＳＩＰソフトウェア電話（４）が選択されて、その暫定レスポンスならびに成功レスポンスがＳＩＰ−ＦＰＳ（２）に送信される。そして、ＳＩＰ−ＦＰＳ（２）は、ＩＮＶＩＴＥの発信元通信ノードであるＳＩＰ固定電話（１）に上記レスポンスを送信する（第１図では、１８０  ｒｉｎｇｉｎｇ  ｂｒａｎｃｈ＝２、１８０  ｒｉｎｇｉｎｇ、２００  ＯＫ  ｂｒａｎｃｈ＝２、２００  ＯＫに相当する。なお、この処理は、上記の４００番台のクライアントエラーレスポンスの後で処理されるものとは限らず、例えば並列に処理される場合もある。）。ＳＩＰ−ＦＰＳ（２）からレスポンスを受信した発信元通信ノードであるＳＩＰ固定電話（１）は、そのレスポンスに対する返答を行い、発信側ユーザのＳＩＰ固定電話（１）と着信側ユーザのＳＩＰソフトウェア電話（４）との間においてセッションが確立し、双方向の通信が可能となる（第１図において、ＡＣＫ、Ｍｅｄｉａ  Ｓｅｓｓｉｏｎに相当する。）。なお、セッションが確立したことによって不要となった、つまり選択されなかった通信ノード、即ちこの例では、ＳＩＰ−ＩＭ（３）にはＳＩＰ−ＦＰＳ（２）からのＩＮＶＩＴＥの送信が取り消される（第１図における、ＣＡＮＣＥＬ  ｂｒａｎｃｈ＝１、２００  ＯＫ  ｂｒａｎｃｈ＝１、４８７  ｃａｎｃｅｌｌｅｄ  ｂｒａｎｃｈ＝１、ＡＣＫ  ｂｒａｎｃｈ＝１に相当する。なお、当然であるが、この処理がなされる間もセッションの確立は継続し、双方向の通信がなされている。）。また、���ール（呼）を終了する場合として、第１図では、発信側ユーザのＳＩＰ固定電話（１）からＳＩＰリクエストであるＢＹＥを、着信側ユーザのＳＩＰソフトウェア電話（４）に送信し、着信側ユーザのＳＩＰソフトウェア電話（４）がこれを認識して、セッションは終了する例を示している（第１図において、ＢＹＥ、２００  ＯＫに相当する。）。勿論、着信側ユーザのＳＩＰソフトウェア電話（４）からＢＹＥを送信することでセッションを終了するものでもよい。
上述した逐次転送と同時転送の相違について説述する。逐次転送の場合には、上記例では、例えば、ＩＮＶＩＴＥ  ｂｒａｎｃｈ＝１のみをまず転送し、そのレスポンスを待つ。そして、そのレスポンスが、例えば４００番台のクライアントエラーレスポンスであった場合に、ＩＮＶＩＴＥ  ｂｒａｎｃｈ＝２を転送し、再びレスポンスを待つ、ということを順次繰り返すことをいう。同時転送とは、各通信ノード等からのレスポンスを待つことなく、上記例の如く、ＩＮＶＩＴＥ  ｂｒａｎｃｈ＝１、ＩＮＶＩＴＥ  ｂｒａｎｃｈ＝２、ＩＮＶＩＴＥ  ｂｒａｎｃｈ＝３を並列して同時に転送することをいう。
また、以上第１図に示したセッションの確立などが可能となるには、第２図に示すように、それぞれＳＩＰ携帯電話（５）、ＳＩＰソフトウェア電話（４）、ＳＩＰ−ＩＭ（３）のアドレスが個々別々にＩＰネットワーク（１３）のＳＩＰ−ＦＰＳ（２）に登録されていなければならない（第２図における各ＲＥＧＩＳＴＥＲ項目と各２００  ＯＫに相当する。）。つまり、ＩＰネットワーク（１３）のＳＩＰ−ＦＰＳ（２）は、登録サーバの機能を有していて、このＳＩＰ−ＦＰＳ（２）に登録された通信ノードや通信アプリケーションに対して、ＩＮＶＩＴＥを並列に同時送信するのである。
ＲＥＧＩＳＴＥＲにおいては、登録時間（保持期限）が指定されていて（第２図では、Ｅｘｐｉｒｅｓ：の後に指定される数字（秒数）である。）、必要に応じて、この登録時間以内に、ＩＰネットワーク（１３）のＳＩＰ−ＦＰＳ（２）に再登録しなければならない。勿論、登録時間以内に再登録せず、一旦登録時間を経過した後に再登録するものでもよい。第２図では、ＳＩＰ−ＩＭ（３）の登録時間は１８００秒、ＳＩＰソフトウェア電話（４）の登録時間は６００秒、ＳＩＰ携帯電話（５）の登録時間は３６００秒であり、その登録時間以内に繰り返して再登録される様子の一部を示している。
このような通信システム構成と通信ステップ（シグナリング処理）では、次のような問題が生じる。
即ち、まず、ＩＰネットワークのＳＩＰ−ＦＰＳに対して、ユーザの有する通信ノードや通信アプリケーションの数だけ登録をしなければならない手間が生じる。また、例えばＳＩＰ携帯電話も直接ＩＰネットワークのＳＩＰ−ＦＰＳに登録を行うため、ユーザが所有し携行するＳＩＰ携帯電話と他の通信ノード（上記例では、モバイルノード（１００））との間で、相互の関連付けが希薄になる。つまり、各通信ノード等が個々別々に登録されるので、同一のユーザに所有される通信ノード等であるという概念が希薄になる。さらに、登録情報には通常、第２図に示すとおり保持期限があるので、各通信ノード等は逐一再登録の必要が生じる。
また、ＩＰネットワークのＳＩＰ−ＦＰＳと、このＳＩＰ−ＦＰＳに登録されたユーザの通信ノード・通信アプリケーションとの間のシグナリングトラフィックは、ユーザの通信ノード・通信アプリケーションの数に依存することになる。従って、この通信ノード・通信アプリケーションの数が多いほど、ＩＰネットワークのＳＩＰ−ＦＰＳと、セッションの確立に関係のないユーザの通信ノード・通信アプリケーションとの間にリクエストやレスポンスがなされるというシグナリングトラフィックの増大の問題が生じる。即ち上記例では、セッション確立に不要な、ＩＰネットワーク（１３）のＳＩＰ−ＦＰＳ（２）とＳＩＰ携帯電話（５）、ＳＩＰ−ＩＭ（３）とのシグナリングトラフィックが、ＩＰネットワークと着信側ユーザとの通信アクセス区間を占めてしまうという問題が生じる。
さらに上記のような場合に、ＩＰネットワークのＳＩＰ−ＦＰＳが選択される通信ノード・通信アプリケーション以外の通信ノード・通信アプリケーションに対して複数のリクエストを逐次送信するとネットワーク遅延などの問題が生じる一方、同時送信の場合には、シグナリング処理が複雑となって、例えば商用通信サービスの場合には課金の重複が起きてしまう虞が生じる。
従って、限られた無線周波数資源において、効率よくセッションを確立するためには、シグナリングトラフィックを低減する必要がある。
ここでは、無線方式でのアクセス方法による場合を例に説述したが、有線方式によるアクセス方法としても同様の問題が発生する。
そこで、本発明は、上記の問題点に鑑み、ＩＰネットワークとユーザとの通信アクセス区間のシグナリングトラフィックを低減させる、通信ノード、シグナリングネットワーク、通信ネットワークシステムおよび通信方法を提供することを課題とする。
【発明の開示】
上記の目的を達成する本発明は下記のとおりである。
本発明の通信ノードは、少なくとも１つまたは複数の通信アプリケーションと、この通信アプリケーションに対して、少なくともセッション開始プロトコル（以下、「ＳＩＰ」という。）におけるメッセージを並列に同時送信可能であって、かつ、各通信アプリケーションのＳＩＰにおけるアドレス（以下、「ＣＡ−ＳＩＰ−ＵＲＩ」という。）を登録および登録解除自在な、ＳＩＰにおけるサーバであるセッション開始プロトコルマネージングサーバ（以下、「ＳＩＰ−ＭＳ」という。）とが、ＳＩＰ−ＭＳと、このＳＩＰ−ＭＳに登録された各通信アプリケーションとの間で、ＳＩＰでのシグナリング処理が可能に実装され、さらに、ＳＩＰ−ＭＳには、ＳＩＰにおけるアドレス（以下、「Ｋｅｙ−ＳＩＰ−ＵＲＩ」という。）が与えられたことを特徴とする通信ノード（以下、「中核通信ノード」という。）とする。
本発明のシグナリングネットワークは、複数の通信ノードで構成されるシグナリングネットワークにおいて、通信ノードの１つは、中核通信ノードであって、この中核通信ノードと、中核通信ノード以外の通信ノード（以下、「周辺通信ノード」という。）とが双方向に通信可能な構成であって、かつ、ＳＩＰ−ＭＳには、各通信アプリケーションのＣＡ−ＳＩＰ−ＵＲＩと、周辺通信ノードのＳＩＰにおけるアドレス（以下、「ＣＮ−ＳＩＰ−ＵＲＩ」という。）とを登録および登録解除自在であって、中核通信ノードにおいて、ＳＩＰ−ＭＳとこのＳＩＰ−ＭＳに登録された各通信アプリケーションとの間でＳＩＰでのシグナリング処理が可能であるとともに、中核通信ノードを介した周辺通信ノードとの通信によって、ＳＩＰ−ＭＳとこのＳＩＰ−ＭＳに登録された周辺通信ノードとの間でＳＩＰでのシグナリング処理が可能であり、さらに、ＳＩＰ−ＭＳには、Ｋｅｙ−ＳＩＰ−ＵＲＩが与えられたことを特徴とするシグナリングネットワークとする。
中核通信ノードを複数備え、１つの中核通信ノードのＳＩＰ−ＭＳに、他の中核通信ノードのＳＩＰ−ＭＳのＫｅｙ−ＳＩＰ−ＵＲＩが登録および登録解除自在なシグナリングネットワークとしてもよい。
また、中核通信ノードを複数備え、各中核通信ノードのＳＩＰ−ＭＳ相互において、Ｋｅｙ−ＳＩＰ−ＵＲＩを登録および登録解除自在なシグナリングネットワークとするものでもよい。
さらに、インターネットプロトコルを基礎とした通信ネットワーク（以下、「ＩＰネットワーク」という。）に備わる、少なくともＳＩＰにおけるメッセージを送信可能であって、かつ、Ｋｅｙ−ＳＩＰ−ＵＲＩの登録および登録解除自在なサーバであるセッション開始プロトコルプロキシサーバ（以下、「ＳＩＰ−ＰＳ」という。）、または、少なくともＳＩＰにおけるメッセージを並列に同時送信可能であって、かつ、Ｋｅｙ−ＳＩＰ−ＵＲＩの登録および登録解除自在なサーバであるセッション開始プロトコルフォーキングプロキシサーバ（以下、「ＳＩＰ−ＦＰＳ」という。）に、Ｋｅｙ−ＳＩＰ−ＵＲＩが登録および登録解除自在なシグナリングネットワークでもよい。
本発明である通信ネットワークシステムは、ＳＩＰ−ＰＳまたは／およびＳＩＰ−ＦＰＳが１つまたは複数備えられたＩＰネットワークと、さらに、１つまたは複数の、請求の範囲５に記載のシグナリングネットワークおよび／または１つまたは複数の、ＩＰネットワークのＳＩＰ−ＰＳまたはＳＩＰ−ＦＰＳにＳＩＰ−ＭＳのＫｅｙ−ＳＩＰ−ＵＲＩが登録および登録解除自在な中核通信ノードとからなる通信ネットワークシステムにおいて、中核通信ノードを介して、中核通信ノードのＳＩＰ−ＭＳと、ＳＩＰ−ＰＳまたはＳＩＰ−ＦＰＳとの間で双方向の通信が可能に構成されるとともに、ＳＩＰ−ＰＳまたはＳＩＰ−ＦＰＳと、このＳＩＰ−ＰＳまたはＳＩＰ−ＦＰＳにＫｅｙ−ＳＩＰ−ＵＲＩが登録されたＳＩＰ−ＭＳとの間において、ＳＩＰでのシグナリング処理が可能であることが特徴である通信ネットワークシステムとする。
シグナリングネットワークを構成しない通信ノード（以下、「一般通信ノード」という。）のＳＩＰにおけるアドレスがＩＰネットワークのＳＩＰ−ＰＳまたはＳＩＰ−ＦＰＳに登録および登録解除自在であって、ＳＩＰ−ＰＳまたはＳＩＰ−ＦＰＳと、このＳＩＰ−ＰＳまたはＳＩＰ−ＦＰＳに登録された一般通信ノードとの間で双方向の通信が可能であるとともに、ＳＩＰでのシグナリング処理が可能な通信ネットワークシステムとしてもよい。
また、上記通信ネットワークシステムのＩＰネットワークには、セッション開始プロトコル登録サーバ（以下、「ＳＩＰ−Ｒ」という。）またはセッション開始プロトコルロケーションサーバ（以下、「ＳＩＰ−ＬＳ」という。）あるいはさらにセッション開始プロトコルリダイレクトサーバ（以下、「ＳＩＰ−ＲＳ」という。）を備えるようにしてもよい。
本発明である通信ネットワークシステムにおける通信方法は、上記の通信ネットワークシステムにおいて、発信元通信ノードから、Ｋｅｙ−ＳＩＰ−ＵＲＩによって指定された着信側ＳＩＰ−ＭＳへの接続要求メッセージを、ＩＰネットワークのＳＩＰ−ＰＳまたはＳＩＰ−ＦＰＳに送信し、次いで、この接続要求メッセージを受信したＩＰネットワークのＳＩＰ−ＰＳまたはＳＩＰ−ＦＰＳは、このＳＩＰ−ＰＳまたはＳＩＰ−ＦＰＳに着信側ＳＩＰ−ＭＳのＫｅｙ−ＳＩＰ−ＵＲＩが登録されている場合には、着信側ＳＩＰ−ＭＳに上記接続要求メッセージを送信し、この接続要求メッセージを受信したＩＰネットワークのＳＩＰ−ＰＳまたはＳＩＰ−ＦＰＳに、着信側ＳＩＰ−ＭＳのＫｅｙ−ＳＩＰ−ＵＲＩが登録されていない場合には、ＩＰネットワークの他のＳＩＰ−ＰＳまたはＳＩＰ−ＦＰＳとの間で上記接続要求メッセージを転送することで、ＩＰネットワークを経由して、上記接続要求メッセージを指定された着信側ＳＩＰ−ＭＳに送信し、次いで、上記接続要求メッセージを受信した着信側ＳＩＰ−ＭＳは、この着信側ＳＩＰ−ＭＳに登録されているＣＡ−ＳＩＰ−ＵＲＩとＣＮ−ＳＩＰ−ＵＲＩを用いて、各通信アプリケーションおよび周辺通信ノードに上記接続要求メッセージを並列に同時送信し、上記接続要求メッセージを送信された各通信アプリケーションおよび周辺通信ノードの中から選択された１つの通信アプリケーションまたは周辺通信ノードから、上記接続要求メッセージが経由した通信経路を逆経由して発信元通信ノードに対して接続応答メッセージを送信し、上記接続応答メッセージが発信元通信ノードに受信されることで、発信元通信ノードと、上記選択された１つの通信アプリケーションまたは周辺通信ノードとの間にセッションが確立されることによって相互に通信可能となることを特徴とする通信ネットワークシステムにおける通信方法とする。
発信元通信ノードが中核通信ノードであり、発信元通信ノードに実装された通信アプリケーションから、少なくともＫｅｙ−ＳＩＰ−ＵＲＩによって指定された着信側ＳＩＰ−ＭＳへの接続要求メッセージを、発信元通信ノードのＳＩＰ−ＭＳに送信することによって、上記着信側で選択された１つの通信アプリケーションまたは周辺通信ノードとの間にセッションが確立されて相互に通信可能となる通信ネットワークシステムでもよい。
また、発信元通信ノードが周辺通信ノードであり、この周辺通信ノードから、この周辺通信ノードのＣＮ−ＳＩＰ−ＵＲＩが登録されたシグナリングネットワークの中核通信ノードのＳＩＰ−ＭＳに、少なくともＫｅｙ−ＳＩＰ−ＵＲＩによって指定された着信側ＳＩＰ−ＭＳへの接続要求メッセージを送信することによって、上記着信側で選択された１つの通信アプリケーションまたは周辺通信ノードとの間にセッションが確立されて相互に通信可能となる通信ネットワークシステムにおける通信方法としてもよい。
さらに、上記の通信ネットワークシステムにおける通信方法において、発信元通信ノードが一般通信ノードであってもよい。
上記通信ネットワークシステムにおける通信方法において、ＩＰネットワークに、ＳＩＰ−ＲまたはＳＩＰ−ＬＳあるいはさらにＳＩＰ−ＲＳを備えて、ＳＩＰ−Ｒは、少なくとも、ＳＩＰ−ＭＳのＫｅｙ−ＳＩＰ−ＵＲＩおよび／または一般通信ノードのＳＩＰにおけるアドレスの登録を受けるとともに、ＳＩＰ−ＬＳには、ＳＩＰ−Ｒの登録情報がストアされ、ＳＩＰ−ＬＳは、ＩＰネットワークのＳＩＰ−ＰＳまたはＳＩＰ−ＦＰＳからのアドレスの参照リクエストにレスポンス可能であるか、あるいは、ＳＩＰ−ＬＳは、ＳＩＰ−ＲＳを介して、ＩＰネットワークのＳＩＰ−ＰＳまたはＳＩＰ−ＦＰＳからのアドレスの参照リクエストにレスポンス可能である通信ネットワークシステムにおける通信方法とするものであってもよい。
【図面の簡単な説明】  第１図は、ユーザが複数の通信ノードや、通信ノードに実装される通信アプリケーションを利用して、マルチメディア通信を行う際の、ＩＰネットワークのＳＩＰ−ＦＰＳを介した従来的な無線通信システム構成と通信ステップ（シグナリング処理）の一例を示した図である。第２図は、第１図に示す従来的な通信システム構成と通信ステップにおいて、通信ノードや通信アプリケーションを個々別々にＩＰネットワークのＳＩＰ−ＦＰＳに登録する様子を示した図である。第３図は、ユーザが複数の通信ノードや、通信ノードに実装される通信アプリケーションを利用して、ＳＩＰ−ＦＰＳを介してマルチメディア通信を行う際の、本発明における通信システム構成と通信ステップの一例を示した図である。第４図は、第３図に示す本発明における通信システム構成と通信ステップにおいて、通信ノードや通信アプリケーションを中核通信ノードのＳＩＰ−ＭＳに登録し、さらに、ＳＩＰ−ＭＳのＫｅｙ−ＳＩＰ−ＵＲＩをＩＰネットワークのＳＩＰ−ＦＰＳに登録する様子を示した図である。第５図は、本発明であるシグナリングネットワークの利点の１つを示す図である。第６図は、シグナリングネットワークにおける中核通信ノードの装置構成例の概略図である。第７図は、本発明である通信ネットワークシステムの概念図である。第８図は、ＩＰネットワークにＳＩＰ−ＲとＳＩＰ−ＬＳを設けた場合の通信方法の概念図である。第９図は、ＩＰネットワークにＳＩＰ−ＲとＳＩＰ−ＬＳとＳＩＰ−ＲＳを設けた場合の通信方法の概念図である。
符号の指示部位は次の通りである。１：ＳＩＰ固定電話、２：ＳＩＰ−ＦＰＳ、２’：ＳＩＰ−ＭＳ、３：ＳＩＰ−ＩＭ、４：ＳＩＰソフトウェア電話、５：ＳＩＰ携帯電話、６：中央演算処理装置、７：内部記憶処理装置、８：外部記憶装置、９：通信機器部、１０：通信制御部、１１：プロトコル処理部、１２：アドレス処理部、１３：ＩＰネットワーク、１４：アドレス格納領域、２０：一般通信ノード、３０：ＳＩＰ−ＬＳ、３５：ＳＩＰ−ＲＳ、４０：ＳＩＰ−Ｒ、５０：シグナリングネットワーク、１００：モバイルノード、２００：中核モバイルノード。
【発明を実施するための最良の形態】  本発明の実施形態を図面に基づいて説明する。なお、本発明は以下の実施形態に限定するものではない。実施形態は、本発明の趣旨から逸脱しない限り適宜変更可能なものである。また、シグナリングネットワークの具体的構成については、ユーザの利用目的や利用環境に応じて構成されるのが通常であり、また、そのようなユーザの利用目的や利用環境に対応できる柔軟性が本発明の利点でもあるので、本実施形態が必ずしも最良のものとは限らない。
本発明における通信ノードとしては、例えば、ＳＩＰ固定電話、ＳＩＰ携帯電話、またＳＩＰ−ＵＡを備えたＰＨＳ、ポケットベル、携帯情報端末、パーソナルコンピュータ、その他計算機などが挙げられる。一方、通信アプリケーションとしては、例えば、ＳＩＰソフトウェア電話、ＳＩＰ−ＩＭ、またＳＩＰ−ＵＡを備えたテレビ電話などが挙げられる。一般的には、通信アプリケーションは通信ノードに実装され、この通信ノードを介してＳＩＰメッセージや通信データの送受信が可能となる。
上記中核通信ノードは、本実施形態例では、可搬型パーソナルコンピュータまたは携帯情報端末のようなモバイルノード（以下、「中核モバイルノード」という。）（２００）とする。この中核モバイルノード（２００）には、上記モバイルノード（１００）との対比を容易にするために、上記モバイルノード（１００）と同様に、通信アプリケーションであるＳＩＰソフトウェア電話（４）と、同じく通信アプリケーションであるＳＩＰ−ＩＭ（３）が実装されているものとする。また、中核モバイルノード（２００）には、ＳＩＰ−ＩＭ（３）とＳＩＰソフトウェア電話（４）に対して、少なくともＳＩＰメッセージを並列に同時送信可能であって、かつ、ＳＩＰ−ＩＭ（３）とＳＩＰソフトウェア電話（４）のＳＩＰにおけるアドレス（ＣＡ−ＳＩＰ−ＵＲＩ）を登録および登録解除自在なＳＩＰ−ＭＳ（２’）が実装される。ここでのＳＩＰ−ＭＳは、ソフトウェアとしてのサーバである。そして、このＳＩＰ−ＭＳ（２’）は、ＳＩＰ−ＩＭ（３）・ＳＩＰソフトウェア電話（４）との間で、ＳＩＰでのシグナリング処理が可能であり、さらに、ＳＩＰ−ＭＳ（２’）には、ＳＩＰにおけるアドレス（Ｋｅｙ−ＳＩＰ−ＵＲＩ）が１つ与えられている。ＳＩＰ−ＭＳ（２’）は、登録サーバとしての機能を有し、本実施形態例ではＳＩＰ−ＩＭ（３）・ＳＩＰソフトウェア電話（４）のＣＡ−ＳＩＰ−ＵＲＩが登録されている。ＳＩＰ−ＭＳは、基本的にＳＩＰ−ＦＰＳと同様の機能を有するサーバであるが、ＳＩＰ−ＭＳ自体にＫｅｙ−ＳＩＰ−ＵＲＩが与えられ、これがＩＰネットワークのＳＩＰ−ＰＳまたはＳＩＰ−ＦＰＳに登録されるものである点で、ＳＩＰ−ＦＰＳとは異なるものである。このことについては後述する。
周辺通信ノードは、ＳＩＰ携帯電話（５）とする。このＳＩＰ携帯電話（５）のＳＩＰにおけるアドレス（ＣＮ−ＳＩＰ−ＵＲＩ）は、中核モバイルノード（２００）のＳＩＰ−ＭＳ（２’）に登録されているものとする。なお、周辺通信ノードとしては、ＳＩＰ携帯電話（５）に限らず、ＳＩＰ固定電話でも、上述したモバイルノード（１００）でもよい。
一般通信ノード（２０）は、ＳＩＰ固定電話、ＳＩＰ携帯電話、またＳＩＰ−ＵＡを備えたＰＨＳ、ポケットベル、携帯情報端末、パーソナルコンピュータ、その他計算機などが該当する。
中核通信ノードと周辺通信ノードは、双方向の通信が可能なものとする。即ち、中核通信ノードと周辺通信ノードは、相互にアクセス可能に構成されるが、アクセス方法は従来公知の無線・有線方式のものでよい。例えば、無線通信規格としては、Ｂｌｕｅｔｏｏｔｈや無線ＬＡＮ（ＩＥＥＥ８０２．１１ａ、ＩＥＥＥ８０２．１１ｂなど）などがある。有線においては、例えば、イーサネットケーブル（ＩＥＥＥ８０２．３ｉ  １０ＢＡＳＥ−ＴやＩＥＥＥ８０２．３ｕ  １００ＢＡＳＥ−ＴＸなど）などがある。本発明においては、通信手段が無線によるものか有線によるものかについて格別の限定はなく、そのいずれでも、また、その組み合わせでもよいのであって、下記においてもその趣旨は該当する。
中核通信ノードと周辺通信ノードとは、上述のとおり、相互に通信可能であるのであって、この通信によって、中核通信ノードのＳＩＰ−ＭＳと周辺通信ノードとの間でＳＩＰでのシグナリング処理が可能となる。
以上のように、中核通信ノードと、この中核通信ノードのＳＩＰ−ＭＳにＣＮ−ＳＩＰ−ＵＲＩが登録された周辺通信ノードから構成される通信ネットワークがシグナリングネットワークである。
なお、周辺通信ノードのＣＮ−ＳＩＰ−ＵＲＩは、常に中核通信ノードのＳＩＰ−ＭＳに登録されなければならないものではなく、ユーザの使用環境おいて適宜登録解除も可能である。従って、中核通信ノードのＳＩＰ−ＭＳに、周辺通信ノードのＣＮ−ＳＩＰ−ＵＲＩが１つも登録されない場合もある。このような場合であっても、広義においてシグナリングネットワークと称することに差し支えはない。なぜなら、一般的には、複数の物理的実体からなる構成をネットワークと称する慣例からは、周辺通信ノードが１つも登録されず、単独の中核通信ノードからなる場合に、これをネットワークと称することが不適切であるとも考え得るが、上記説述したとおり、中核通信ノードにＳＩＰ−ＭＳを実装することによって、この中核通信ノードに実装された通信アプリケーションとの間に、ソフトウェアにおけるシグナリングネットワークが形成されているからである。つまり、換言すれば、中核通信ノードには、その内部において、ソフトウェアにおけるシグナリングネットワークが形成され、一方、中核通信ノードと周辺通信ノードとの間には、ハードウェアにおけるシグナリングネットワークが形成されるといえるからである。しかし、本文においては、用語の混乱を避けるため、単独の中核通信ノードをシグナリングネットワークとは称しないで、単に中核通信ノードと表現するものとする。
シグナリングネットワークにおいて、中核通信ノードが１つでなければならないという限定はない。シグナリングネットワークにおいて、複数の中核通信ノードが存在してもよい。そしてこの場合には、複数の中核通信ノードのうち１つを、主たる中核通信ノードして位置づけ、この主たる中核通信ノードのＳＩＰ−ＭＳに、他の従たる中核通信ノードのＳＩＰ−ＭＳのＫｅｙ−ＳＩＰ−ＵＲＩを登録するようにしてもよいし、あるいは、複数の中核通信ノードに主従の区別を設けず、中核通信ノードのＳＩＰ−ＭＳのＫｅｙ−ＳＩＰ−ＵＲＩを相互に登録するものとしてもよい。
シグナリングネットワークの中核通信ノードと単独の中核通信ノードの各ＳＩＰ−ＭＳのＫｅｙ−ＳＩＰ−ＵＲＩは、後述するＩＰネットワークのＳＩＰ−ＰＳまたはＳＩＰ−ＦＰＳに登録されるものとする。
ＩＰネットワークは、本発明であるシグナリングネットワーク、中核通信ノード、一般通信ノード他にＬＡＮなどの通信ネットワークからのアクセスが可能であるインターネットプロトコルネットワークとする。ＩＰネットワークには、セッション開始プロトコルプロキシサーバ（ＳＩＰ−ＰＳ）またはＳＩＰ−ＦＰＳが設けられる。
ＩＰネットワークに設けられたＳＩＰ−ＰＳまたはＳＩＰ−ＦＰＳと、本発明であるシグナリングネットワーク、中核通信ノード、一般通信ノード他にＬＡＮなどの通信ネットワークとは相互に通信可能であり、通信方法としては従来公知の無線・有線方式でよい。例えば、有線方式では、高速・大容量の通信が可能な光ケーブルを用いた従来公知の通信方法でもよい。
このように、相互に可能な通信によって、ＩＰネットワークのＳＩＰ−ＰＳまたはＳＩＰ−ＦＰＳと、単独の中核通信ノードやシグナリングネットワークの中核通信ノードのＳＩＰ−ＭＳ、一般通信ノードとの間にＳＩＰでのシグナリング処理が可能となる。
ＩＰネットワークに備わる複数のＳＩＰ−ＦＰＳまたはＳＩＰ−ＰＳ間でも相互に通信可能であって、その方法としては無線によるものでも有線によるものでもよい。
ＩＰネットワークのＳＩＰ−ＰＳまたはＳＩＰ−ＦＰＳには、単独の中核通信ノードのＳＩＰ−ＭＳのＫｅｙ−ＳＩＰ−ＵＲＩ、シグナリングネットワークを構成する中核通信ノードのＳＩＰ−ＭＳのＫｅｙ−ＳＩＰ−ＵＲＩ、一般通信ノードのＳＩＰにおけるアドレスなどが登録される。この登録は、ユーザにおいて解除自在である。
上述のように、相互に通信可能な構成のもとで、ＩＰネットワークと、１つまたは複数の、シグナリングネットワーク、中核通信ノード、一般通信ノードとから通信ネットワークシステムが形成される（第７図参照）。
中核通信ノードのＳＩＰ−ＭＳには、１つのＫｅｙ−ＳＩＰ−ＵＲＩが与えられる。このＫｅｙ−ＳＩＰ−ＵＲＩは、一般回線電話の代表電話番号と同様の役割を果たすものである。このことは、後述のシグナリング処理によって明らかにする。
ここで、第６図を参照の上、シグナリングネットワークを構成する中核通信ノードである中核モバイルノード（２００）の装置構成例の概略について示す。中核モバイルノード（２００）には、中央演算処理装置（６）、内部記憶装置（７）、外部記憶装置（８）、通信機器部（９）が備わる。
通信機器部（９）は、ＩＰネットワーク（１３）および周辺通信ノード、ここではＳＩＰ携帯電話（５）との相互の通信を可能とし、例えば、ターミナルアダプタ、ＤＳＵ（Ｄｉｇｉｔａｌ  Ｓｅｒｖｉｃｅ  Ｕｎｉｔ）、モデムなどが適宜設けられる。通信機器部（９）によって取得されたＩＰネットワーク（１３）からの情報、例えばＳＩＰメッセージなどの情報は、中央演算処理装置（６）において内部記憶装置（７）との協働のもとに処理される。中央演算処理装置（６）には、通信制御部（１０）、シグナリング処理部（１１）、アドレス処理部（１２）が備わる。外部記憶装置（８）に備わるアドレス格納領域（１４）には、通信アプリケーションのＣＡ−ＳＩＰ−ＵＲＩや周辺通信ノードのＣＮ−ＳＩＰ−ＵＲＩなどのアドレスが格納・記憶可能である。また、外部記憶装置（８）には、ソフトウェアである通信アプリケーション、ここでは、ＳＩＰ−ＩＭ（３）、ＳＩＰソフトウェア電話（４）が格納・記憶され、さらに、ソフトウェアであるＳＩＰ−ＭＳ（２’）が格納・記憶される。
アドレス処理部（１２）では、アドレス格納領域（１４）に格納・記憶された、通信アプリケーションのＣＡ−ＳＩＰ−ＵＲＩや周辺通信ノードのＣＮ−ＳＩＰ−ＵＲＩなどのアドレスを取得・参照する処理を行い、またさらに、シグナリング処理部（１１）によって、例えば、通信機器部（９）を介して取得したＩＰネットワーク（１３）からの接続要求メッセージなどの情報を、シグナリングネットワークを構成する各通信ノード、例えばここでは、ＳＩＰ−ＩＭ（３）、ＳＩＰソフトウェア電話（４）、ＳＩＰ携帯電話（５）に対して分岐して、同時に並列送信するシグナリング処理がなされる。このシグナリング処理に従って、通信制御部（１０）が通信機器部（９）を制御する。そして、通信機器部（９）を介して、シグナリング処理された接続要求メッセージなどの情報がＩＰネットワーク（１３）やＳＩＰ携帯電話（５）などに送信される。
次に、第３図、第４図を基に、本発明における通信ネットワークシステムにおける通信ステップ（シグナリング処理）を説述する。
第３図、第４図では、第１図、第２図との比較を容易にして本発明の効果等を明らかにするために、発信側ユーザは一般通信ノードとしてＳＩＰ固定電話（１）を利用するものとする。このＳＩＰ固定電話（１）は、ＩＰネットワーク（１３）にアクセス可能とする。アクセス方法は、無線方式でも有線方式でもよいが、ここでは無線方式とする。
一方、着信側ユーザのシグナリングネットワーク（５０）は、通信ノードとして、周辺通信ノードであるＳＩＰ携帯電話（５）と中核通信ノードである中核モバイルノード（２００）を有し、また、中核モバイルノード（２００）には通信アプリケーションであるＳＩＰ−ＵＡを備えたＳＩＰ−ＩＭ（３）と、同じく通信アプリケーションであるＳＩＰ−ＵＡを備えたＳＩＰソフトウェア電話（４）が実装されているものとする。さらに、中核モバイルノード（２００）には、上記ＳＩＰ−ＭＳ（２’）が実装されている。ＩＰネットワーク（１３）には、ＳＩＰ−ＦＰＳ（２）が備わるものとする。
発信側ユーザのＳＩＰ固定電話（１）と着信側ユーザのＳＩＰソフトウェア電話（４）との間に無線通信のセッションを確立して相互の通信を行うには、以下のシグナリング処理によることとなる。
まず、発信側ユーザは、コール（呼）を開始するため、着信側ユーザのシグナリングネットワーク（５０）の中核モバイルノード（２００）のＳＩＰ−ＭＳ（２’）を、そのＫｅｙ−ＳＩＰ−ＵＲＩで指定して、接続要求メッセージであるリクエストのＩＮＶＩＴＥを、発信元通信ノードである発信元ＳＩＰ固定電話（１）からＩＰネットワーク（１３）のＳＩＰ−ＦＰＳ（２）に対して送信する。また、ＩＮＶＩＴＥだけではなく、これに併せてテキストデータなどの通信データも送信するようにしてもよい。
ＩＰネットワーク（１３）のＳＩＰ−ＦＰＳ（２）は、受信したＩＮＶＩＴＥを、Ｋｅｙ−ＳＩＰ−ＵＲＩが割り当てられた着信側シグナリングネットワーク（５０）の中核モバイルノード（２００）のＳＩＰ−ＭＳ（２’）に送信することになる。
ＩＮＶＩＴＥを受信したＩＰネットワーク（１３）のＳＩＰ−ＦＰＳ（２）は、このＳＩＰ−ＦＰＳ（２）に、着信側シグナリングネットワーク（５０）の中核モバイルノード（２００）のＳＩＰ−ＭＳ（２’）のＫｅｙ−ＳＩＰ−ＵＲＩが登録されている場合には、受信したＩＮＶＩＴＥを、Ｋｅｙ−ＳＩＰ−ＵＲＩによって指定された中核モバイルノード（２００）のＳＩＰ−ＭＳ（２’）に無線送信する。しかし、ＩＰネットワーク（１３）のＳＩＰ−ＦＰＳ（２）に、着信側シグナリングネットワーク（５０）の中核モバイルノード（２００）のＳＩＰ−ＭＳ（２’）のＫｅｙ−ＳＩＰ−ＵＲＩが登録されていなかった場合には、ＩＰネットワーク（１３）のＳＩＰ−ＦＰＳ（２）は、ＩＰネットワーク（１３）の他のＳＩＰ−ＦＰＳまたはＳＩＰ−ＰＳに対して、上記接続要求メッセージであるリクエストのＩＮＶＩＴＥを転送する。そして、転送されたＩＰネットワーク（１３）のＳＩＰ−ＦＰＳまたはＳＩＰ−ＰＳに接続要求対象である着信側シグナリングネットワーク（５０）の中核モバイルノード（２００）のＳＩＰ−ＭＳ（２’）が登録されている場合には、このＳＩＰ−ＰＳまたはＳＩＰ−ＦＰＳが、ＳＩＰ−ＭＳ（２’）にＩＮＶＩＴＥを送信する。
接続要求メッセージであるリクエストのＩＮＶＩＴＥを受信した中核モバイルノード（２００）のＳＩＰ−ＭＳ（２’）は、該ＳＩＰ−ＭＳ（２’）に登録されたＳＩＰ携帯電話（５）、ＳＩＰソフトウェア電話（４）、ＳＩＰ−ＩＭ（３）に対して、ＩＮＶＩＴＥを分岐（Ｆｏｒｋｉｎｇ）して並列に同時送信を行う（第３図において、ＩＮＶＩＴＥ  ｂｒａｎｃｈ＝１、ＩＮＶＩＴＥ  ｂｒａｎｃｈ＝２、ＩＮＶＩＴＥ  ｂｒａｎｃｈ＝３に相当する。）。分岐されたＩＮＶＩＴＥを送信されたＳＩＰ携帯電話（５）、ＳＩＰソフトウェア電話（４）、ＳＩＰ−ＩＭ（３）のうち、通信圏外などによって通信不能の状態にあるＳＩＰ携帯電話（５）は、４００番台のクライアントエラーレスポンスを中核モバイルノード（２００）のＳＩＰ−ＭＳ（２’）に対して送信し、このＳＩＰ−ＭＳ（２’）はこれを認識してＡＣＫを送信する（第３図では、４０４  ｎｏｔ  ａｖａｉｌａｂｌｅ、ＡＣＫ  ｂｒａｎｃｈ＝３に相当する。）。一方、着信側ユーザは、ＩＮＶＩＴＥを受信した利用可能状態にある通信ノードと通信アプリケーション、即ちここでは、中核モバイルノード（２００）内のＳＩＰソフトウェア電話（４）とＳＩＰ−ＩＭ（３）の中から任意に選択することができるが、ここではＳＩＰ固定電話（１）と共通の通信システムに属するＳＩＰソフトウェア電話（４）が呼び出され（第３図では、１８０  ｒｉｎｇｉｎｇ  ｂｒａｎｃｈ＝２、ＩＰネットワーク（１３）のＳＩＰ−ＦＰＳ（２）と中核モバイルノード（２００）のＳＩＰ−ＭＳ（２’）との間における１８０  ｒｉｎｇｉｎｇ、ＩＰネットワークのＳＩＰ−ＦＰＳ（２）と発信元ＳＩＰ固定電話（１）との間における１８０  ｒｉｎｇｉｎｇに相当する。）、このＳＩＰソフトウェア電話（４）が選択されたものとしている。選択されたＳＩＰソフトウェア電話（４）からの成功レスポンスを受信した中核モバイルノード（２００）のＳＩＰ−ＭＳ（２’）から、成功レスポンスが、接続要求メッセージが送信されてきた送信経路を逆経由して、発信元通信ノードである発信元ＳＩＰ固定電話（１）に送信される（第３図における、２００  ＯＫ  ｂｒａｎｃｈ＝２、中核モバイルノード（２００）のＳＩＰ−ＭＳ（２’）とＩＰネットワーク（１３）のＳＩＰ−ＦＰＳ（２）間の２００  ＯＫ、ＩＰネットワーク（１３）のＳＩＰ−ＦＰＳ（２）と発信元ＳＩＰ固定電話（１）間の２００  ＯＫに相当する。）。着信側シグナリングネットワーク（５０）において選択されたＳＩＰソフトウェア電話（４）からのレスポンスを受信した発信元ＳＩＰ固定電話（１）は、着信側シグナリングネットワーク（５０）において選択されたＳＩＰソフトウェア電話（４）に対して返答してセッションが確立して、相互の通信が可能となる。（第３図において、ＡＣＫ、Ｍｅｄｉａ  Ｓｅｓｓｉｏｎに相当する。）。なお、以上のシグナリング処理は、必ずしも４００番台のクライアントエラーレスポンスの処理がなされた後に処理されなければならないものではなく、およそ並列に処理される場合もある。
なお、セッションが確立したことによって不要となった、つまり選択されなかった通信アプリケーション、即ち、この例におけるＳＩＰ−ＩＭ（３）に対しては、中核モバイルノード（２００）のＳＩＰ−ＭＳ（２’）からのＩＮＶＩＴＥの送信が取り消される（第３図における、ＣＡＮＣＥＬ  ｂｒａｎｃｈ＝１、２００  ＯＫ  ｂｒａｎｃｈ＝１、４８７  ｃａｎｃｅｌｌｅｄ  ｂｒａｎｃｈ＝１、ＡＣＫ  ｂｒａｎｃｈ＝１に相当する。なお、当然であるが、この処理がなされる間もセッションの確立は継続し、双方向の通信がなされている。）。また、コール（呼）を終了する場合として、第３図では発信側ユーザのＳＩＰ固定電話（１）からリクエストであるＢＹＥを、着信側ユーザのＳＩＰソフトウェア電話（４）に送信し、着信側ユーザのＳＩＰソフトウェア電話（４）がこれを認識して、セッションは終了する例を示している（第３図において、ＢＹＥ、２００ＯＫに相当する。）。勿論、着信側ユーザのＳＩＰソフトウェア電話（４）からＢＹＥを送信してセッションを終了することも可能である。
また、以上第３図に示したシグナリング処理やセッションの確立などが可能となるために、第４図に示すように、ＳＩＰ携帯電話（５）、ＳＩＰソフトウェア電話（４）、ＳＩＰ−ＩＭ（３）のアドレスが個々別々に中核モバイルノード（２００）のＳＩＰ−ＭＳ（２’）に登録される（第４図における各ＲＥＧＩＳＴＥＲ  Ｅｘｐｉｒｅｓ：項目と各２００  ＯＫに相当する。）。一方、ＩＰネットワーク（１３）のＳＩＰ−ＦＰＳまたはＳＩＰ−ＰＳ（上記実施形態例ではＳＩＰ−ＦＰＳ（２））には、中核モバイルノード（２００）のＳＩＰ−ＭＳ（２’）のＫｅｙ−ＳＩＰ−ＵＲＩが登録される。
ＲＥＧＩＳＴＥＲリクエストにおいては、登録時間（保持期限）が指定されていて（第４図では、Ｅｘｐｉｒｅｓ：の後に指定される数字（秒数）である。）、必要に応じて、この登録時間以内に再登録しなければならない。勿論、登録時間以内に再登録せず、一旦登録時間を経過した後に再登録するものでもよい。第４図では、ＳＩＰ−ＩＭ（３）の登録時間は１８００秒、ＳＩＰソフトウェア電話（４）の登録時間は６００秒、ＳＩＰ携帯電話（５）の登録時間は３６００秒、ＳＩＰ−ＭＳ（２’）の登録時間は３６００秒であり、その登録時間以内に繰り返して再登録される様子の一部を示している。第２図に示した登録とは異なり、本発明においては、ＩＰネットワーク（１３）のＳＩＰ−ＦＰＳ（２）へのＲＥＧＩＳＴＥＲリクエストは、中核モバイルノード（２００）のＳＩＰ−ＭＳ（２’）のみなされる。また、シグナリングネットワーク（５０）においては、ＳＩＰ−ＩＭ（３）、ＳＩＰソフトウェア電話（４）、ＳＩＰ携帯電話（５）のＲＥＧＩＳＴＥＲリクエストは、中核モバイルノード（２００）のＳＩＰ−ＭＳ（２’）に対してなされる。
このように、セッションを確立するためのＳＩＰメッセージの送信やＩＰネットワークのＳＩＰ−ＰＳまたはＳＩＰ−ＦＰＳへのユーザの有する通信ノード等の登録などのシグナリング処理は、ＩＰネットワークのＳＩＰ−ＰＳまたはＳＩＰ−ＦＰＳと、ユーザの有する中核通信ノードのＳＩＰ−ＭＳまたはシグナリングネットワークの中核通信ノードのＳＩＰ−ＭＳとの間においてのみなされるのである。従って、ユーザの各通信ノードや通信アプリケーションのアドレス（ＣＮ−ＳＩＰ−ＵＲＩ、ＣＡ−ＳＩＰ−ＵＲＩ）を、ＩＰネットワークのＳＩＰ−ＰＳまたはＳＩＰ−ＦＰＳに逐一登録することや、ＩＰネットワークのＳＩＰ−ＰＳまたはＳＩＰ−ＦＰＳから、登録されたユーザの全ての通信ノードや通信アプリケーションに対してＳＩＰメッセージの送信をする必要がなくなり（この意味で、ＳＩＰ−ＭＳのＫｅｙ−ＳＩＰ−ＵＲＩは、一般回線電話の代表電話番号と同様で、シグナリングネットワークの代表番号たる役割を果たすことになる。）、ＩＰネットワークとユーザとの通信アクセス区間のシグナリングトラフィックは常に最小となる。
上記実施形態例では、一般通信ノードであるＳＩＰ固定電話（１）を発信元通信ノードとして接続要求メッセージを送信しているが、発信元通信ノードは、一般通信ノードに限るものではなく、中核通信ノードや周辺通信ノードであってよい。
発信元通信ノードが中核通信ノードである場合には、この中核通信ノードに実装された通信アプリケーションから、上記実施形態例と同様に着信側ＳＩＰ−ＭＳのＫｅｙ−ＳＩＰ−ＵＲＩを指定して、接続要求メッセージを中核通信ノードのＳＩＰ−ＭＳに対して送信し、次いで、このＳＩＰ−ＭＳからＩＰネットワークのＳＩＰ−ＰＳまたはＳＩＰ−ＦＰＳに送信されることになる。以下のシグナリング処理は上記実施形態例のシグナリング処理と同様である。
また、発信元通信ノードが周辺通信ノードである場合には、周辺通信ノードのＣＡ−ＳＩＰ−ＵＲＩが登録されたシグナリングネットワークの中核通信ノードのＳＩＰ−ＭＳに、上記実施形態例と同様に着信側ＳＩＰ−ＭＳのＫｅｙ−ＳＩＰ−ＵＲＩを指定した接続要求メッセージ送信し、次いで、このＳＩＰ−ＭＳからＩＰネットワークのＳＩＰ−ＰＳまたはＳＩＰ−ＦＰＳに送信されることになる。以下のシグナリング処理は上記実施形態例のシグナリング処理と同様である。
上記実施実施例では、１つの一般通信ノードから、ＩＰネットワークを介して、着信側シグナリングネットワークの通信ノードないし通信アプリケーションに接続する場合を説述したが、逆に、送信側シグナリングネットワークの通信ノードないし通信アプリケーションから、ＩＰネットワークを介して、着信側一般通信ノードに接続するようにしてもよい。その通信ステップは上述した通信ステップと同様にしてなされる。例えば、送信側シグナリングネットワークの周辺通信ノードから、接続要求メッセージのＩＮＶＩＴＥを送信するには、この通信ノードから、送信側シグナリングネットワークの中核通信ノードのＳＩＰ−ＭＳに、この接続要求メッセージのＩＮＶＩＴＥを送信するのである。その際、着信側一般通信ノードのＳＩＰにおけるアドレス（ＳＩＰ−ＵＲＩ）を指定することになる。
また、本発明における通信ネットワークシステムのＩＰネットワーク（１３）には、ＳＩＰ−Ｒ（４０）、ＳＩＰ−ＲＳ（３５）、ＳＩＰ−ＬＳ（３０）を適宜備えるものであってもよい（第８図、第９図参照）。なお、ＩＰネットワーク（１３）の全てのＳＩＰ−ＰＳまたはＳＩＰ−ＦＰＳ（２）に対して、これと一対となるように、ＳＩＰ−Ｒ（４０）、ＳＩＰ−ＲＳ（３５）、ＳＩＰ−ＬＳ（３０）を備えなければならないものではなく、例えば、上述の実施形態例のような、ＳＩＰ−Ｒの機能を兼ね備えたＳＩＰ−ＦＰＳなどが混在するものでもよい。
ＳＩＰ−ＬＳ（３０）には、ＳＩＰ−Ｒ（４０）の登録情報、即ち、ＳＩＰ−ＭＳ（２’）のＫｅｙ−ＳＩＰ−ＵＲＩや一般通信ノードのＳＩＰにおけるアドレスなどがストアされる。つまり、上記実施形態例では、ＩＰネットワーク（１３）のＳＩＰ−ＰＳまたはＳＩＰ−ＦＰＳ（２）には、登録サーバとしての機能が実装されていることを前提としていたが、この登録サーバとしての機能を分離して、別のサーバ（ＳＩＰ−Ｒ）として備え、このＳＩＰ−Ｒ（４０）が、ＳＩＰ−ＭＳ（２’）のＫｅｙ−ＳＩＰ−ＵＲＩや一般通信ノードのＳＩＰにおけるアドレスなどのＲＥＧＩＳＴＥＲを受けるとともに、ＳＩＰ−ＬＳ（３０）にその登録情報をストアするのである。そして、ＳＩＰ−ＬＳ（３０）は、ＩＰネットワーク（１３）のＳＩＰ−ＰＳまたはＳＩＰ−ＦＰＳ（２）からのアドレスなどの参照リクエストにレスポンスすることになる。このことによって、ＩＰネットワーク（１３）のＳＩＰ−ＰＳまたはＳＩＰ−ＦＰＳ（２）は、Ｋｅｙ−ＳＩＰ−ＵＲＩで指定されたＳＩＰ−ＭＳ（２’）を実装するユーザの中核通信ノードの現在位置を特定することが可能になる。
さらに、ＳＩＰ−ＲＳ（３５）を設けることによって、ＩＰネットワーク（１３）のＳＩＰ−ＰＳまたはＳＩＰ−ＦＰＳ（２）は、ＳＩＰ−ＭＳ（２’）のＫｅｙ−ＳＩＰ−ＵＲＩの登録情報が移動していた場合に、ＳＩＰ−ＲＳ（３５）を介して、ＳＩＰ−ＬＳ（３０）にアドレスなどの参照リクエストを行うことが可能になる。
本発明のシグナリングネットワークは、ユーザの利用目的や利用環境に合わせて、またその変化に従って、シグナリングネットワークを構成する周辺通信ノードや通信アプリケーションの変更が容易である。また、ユーザの利用目的や利用環境に合わせて、またその変化に従って、必要な通信ノードや通信アプリケーションをシグナリングネットワークのＳＩＰ−ＦＰＳに登録（ＲＥＧＩＳＴＥＲ）するのであるが、その方法は、その通信ノードや通信アプリケーション、あるいはユーザの好みによって自動登録でも手動登録でも可能である。ここで、第５図を参照して具体的に説述する。なお、第５図におけるＤａｔａ  Ｂａｓｅは、例えば上述したアドレス格納領域（１４）などである。
ユーザが職場で仕事をしている場合には、ユーザのシグナリングネットワークを構成する中核通信ノードのＳＩＰ−ＭＳに、職場の周辺通信ノードであるＳＩＰ固定電話（第５図では、Ｗｏｒｋと添記されたＳＩＰ  Ｆｉｘｅｄ  Ｐｈｏｎｅである。）のアドレスを登録（ＲＥＧＩＳＴＥＲ）させる。一方、仕事が終わり、私的な生活環境においては、職場のＳＩＰ固定電話のＳＩＰ−ＭＳへの登録を解除して、ユーザの同じシグナリングネットワークを構成する中核通信ノードに、ユーザが個人で所有するＳＩＰ携帯電話（第５図では、Ｐｒｉｖａｔｅと添記されたＳＩＰ  Ｃｅｌｌ  Ｐｈｏｎｅである。）のアドレスを登録（ＲＥＧＩＳＴＥＲ）させる。職場のＳＩＰ固定電話のＳＩＰ−ＭＳへの登録解除は、ユーザが手動で解除するものでもよいし、上述の通り登録の保持期間があるので、保持期限後に繰り返して登録しないようにするものでもよい。
ところで、ユーザのシグナリングネットワークを構成する中核通信ノードのＳＩＰ−ＭＳのＫｅｙ−ＳＩＰ−ＵＲＩは、ＩＰネットワークのＳＩＰ−ＰＳまたはＳＩＰ−ＦＰＳに繰り返して登録（ＲＥＧＩＳＴＥＲ）される（勿論、登録の必要がなければ、登録を解除するなりあるいは登録の繰り返しを中止するものでもよいが、ここでは説明の便宜上、繰り返して登録するものとしているにすぎない。）。
従って、上述の如くシグナリングネットワークを構成する周辺通信ノードや通信アプリケーションに変更があったとしても、ＩＰネットワークのＳＩＰ−ＰＳまたはＳＩＰ−ＦＰＳに登録されるアドレスは、シグナリングネットワークのＳＩＰ−ＭＳのＫｅｙ−ＳＩＰ−ＵＲＩのみであって、変更された周辺通信ノードや通信アプリケーションのアドレス（ＣＮ−ＳＩＰ−ＵＲＩ、ＣＡ−ＳＩＰ−ＵＲＩ）を逐一登録する手間がなくなる。このことは、周辺通信ノードや通信アプリケーションの変更のたびになされる、ＩＰネットワークのＳＩＰ−ＰＳまたはＳＩＰ−ＦＰＳへの、周辺通信ノードや通信アプリケーションのアドレスを登録（ＲＥＧＩＳＴＥＲ）というシグナリング処理が不要になり、ＩＰネットワークとユーザとの通信アクセス区間のシグナリングトラフィックを最小にすることが可能になることを意味する。
このように、本発明のようなシグナリングネットワークとすることで、ユーザは利用目的・利用環境に合わせて、柔軟に通信ノードや通信アプリケーションを変更できる。つまり、本発明のシグナリングネットワークは、容易に再構成可能なネットワーク構成となっている。
ＳＩＰを用いた従来的な通信方法においては、ＩＰネットワークのＳＩＰ−ＦＰＳまたはＳＩＰ−ＰＳから、このＳＩＰ−ＰＳまたはＳＩＰ−ＦＰＳに登録されたユーザの所有する各通信ノードおよび各通信アプリケーションに、ＳＩＰメッセージが送信されていた。従って、ＩＰネットワークとユーザとの通信アクセス区間には、セッションの確立には不要なＳＩＰメッセージが、通信ノードと通信アプリケーションの数に依存して占められ、複雑なシグナリング処理がなされるものであった。これに対し、本発明によって、次のような効果が得られることとなる。
（１）ＩＰネットワークからユーザの各通信ノードおよび各通信アプリケーションへ送信されるＳＩＰメッセージの宛先は、ユーザの中核通信ノードやシグナリングネットワークを構成する中核通信ノードのＳＩＰ−ＭＳのみとなる。このため、ＩＰネットワークとユーザとの通信アクセス区間のシグナリングトラフィックは、ユーザが所持する通信ノードや通信アプリケーションの数に依存することなく、常に最小に抑えることができる。本発明におけるこのような効果の有用性は、ＩＰネットワークに多数の通信ノードや通信ネットワークがアクセス可能に構成される通信ネットワークシステムにおいて顕著となる。
（２）ＩＰネットワークとユーザとの間のシグナリングトラフィックが最小になることで、複雑なシグナリング処理が無くなり、レスポンスが良くなる。
（３）ユーザの利用目的や利用環境に応じて柔軟にシグナリングネットワークの通信ノードおよび通信アプリケーションの変更ができ、それによって着信時に任意に通信ノードまたは通信アプリケーションの選択が可能になる。
（４）発信者は着信者の中核通信ノードやシグナリングネットワークの中核通信ノードのＳＩＰ−ＭＳのＫｅｙ−ＳＩＰ−ＵＲＩのみを指定することだけでよく、ユーザ間で複数の通信ノードまたは通信アプリケーションのＳＩＰ−ＵＲＩを教えるような手間が無くなる。
【産業上の利用可能性】  本発明は、上記効果を有するので、インターネット通信などのネットワーク通信、さらには、日本国特許出願番号「特願２００１−２７２６６０号」「特願２００１−２７２６６１号」「特願２００１−３１７４７１号」に開示される無線システムのシームレス統合ネットワークシステムにおいて利用可能性を有する。例えば、音楽・映像を配信するなどのマルチメディア通信、一般電話と同様の通信機能を有するインターネット通話など、トラフィックの増大がネットワークに多大な負担を及ぼすと考えられる通信分野にわたって広く有効な利用可能性を有している。
【図１】
2004075518.tif 000003
【図２】
2004075518.tif 000004
【図３】
2004075518.tif 000005
【図４】
2004075518.tif 000006
【図５】
2004075518.tif 000007
【図６】
2004075518.tif 000008
【図７】
2004075518.tif 000009
【図８】
2004075518.tif 000010
【図９】
2004075518.tif 000011
【手続補正書】
【提出日】平成15年9月22日(2003.9.22)
【手続補正００１】
【補正対象書類名】特許請求の範囲
【補正対象項目名】全文
【補正方法】変更
【補正の内容】
【特許請求の範囲】
【請求項１】
少なくとも
１つまたは複数の通信アプリケーションと、
該通信アプリケーションに対して、少なくともセッション開始プロトコル（以下、請求の範囲において「ＳＩＰ」という。）におけるメッセージを並列に同時送信可能であって、かつ、各通信アプリケーションのＳＩＰにおけるアドレス（以下、請求の範囲において「ＣＡ−ＳＩＰ−ＵＲＩ」という。）を登録および登録解除自在な、ＳＩＰにおけるサーバであるセッション開始プロトコルマネージングサーバ（以下、請求の範囲において「ＳＩＰ−ＭＳ」という。）とが、
ＳＩＰ−ＭＳと、該ＳＩＰ−ＭＳに登録された各通信アプリケーションとの間で、ＳＩＰでのシグナリング処理が可能に実装され、
さらに、
ＳＩＰ−ＭＳには、ＳＩＰにおけるアドレス（以下、請求の範囲において「Ｋｅｙ−ＳＩＰ−ＵＲＩ」という。）が与えられたことを特徴とする通信ノード（以下、請求の範囲において「中核通信ノード」という。）。
【請求項２】
複数の通信ノードで構成されるシグナリングネットワークにおいて、
通信ノードの１つは、中核通信ノードであって、
該中核通信ノードと、中核通信ノード以外の通信ノード（以下、請求の範囲において「周辺通信ノード」という。）とが双方向に通信可能な構成であって、
かつ、
ＳＩＰ−ＭＳには、各通信アプリケーションのＣＡ−ＳＩＰ−ＵＲＩと、周辺通信ノードのＳＩＰにおけるアドレス（以下、請求の範囲において「ＣＮ−ＳＩＰ−ＵＲＩ」という。）とを登録および登録解除自在であって、
中核通信ノードにおいて、ＳＩＰ−ＭＳと該ＳＩＰ−ＭＳに登録された各通信アプリケーションとの間でＳＩＰでのシグナリング処理が可能であるとともに、
中核通信ノードを介した周辺通信ノードとの通信によって、ＳＩＰ−ＭＳと該ＳＩＰ−ＭＳに登録された周辺通信ノードとの間でＳＩＰでのシグナリング処理が可能であり、
さらに、
ＳＩＰ−ＭＳには、Ｋｅｙ−ＳＩＰ−ＵＲＩが与えられたことを特徴とするシグナリングネットワーク。
【請求項３】
中核通信ノードを複数備え、
１つの中核通信ノードのＳＩＰ−ＭＳに、他の中核通信ノードのＳＩＰ−ＭＳのＫｅｙ−ＳＩＰ−ＵＲＩが登録および登録解除自在である請求の範囲２に記載のシグナリングネットワーク。
【請求項４】
中核通信ノードを複数備え、
各中核通信ノードのＳＩＰ−ＭＳ相互において、
Ｋｅｙ−ＳＩＰ−ＵＲＩを登録および登録解除自在である請求の範囲２に記載のシグナリングネットワーク。
【請求項５】
インターネットプロトコルを基礎とした通信ネットワーク（以下、請求の範囲において「ＩＰネットワーク」という。）に備わる、
少なくともＳＩＰにおけるメッセージを送信可能であって、かつ、Ｋｅｙ−ＳＩＰ−ＵＲＩの登録および登録解除自在なサーバであるセッション開始プロトコルプロキシサーバ（以下、請求の範囲において「ＳＩＰ−ＰＳ」という。）、
または、
少なくともＳＩＰにおけるメッセージを並列に同時送信可能であって、かつ、Ｋｅｙ−ＳＩＰ−ＵＲＩの登録および登録解除自在なサーバであるセッション開始プロトコルフォーキングプロキシサーバ（以下、請求の範囲において「ＳＩＰ−ＦＰＳ」という。）に、
Ｋｅｙ−ＳＩＰ−ＵＲＩが登録および登録解除自在である請求の範囲２ないし４いずれかに記載のシグナリングネットワーク。
【請求項６】
ＳＩＰ−ＰＳまたは／およびＳＩＰ−ＦＰＳが１つまたは複数備えられたＩＰネットワークと、
さらに
１つまたは複数の、請求の範囲５に記載のシグナリングネットワーク
および／または
１つまたは複数の、ＩＰネットワークのＳＩＰ−ＰＳまたはＳＩＰ−ＦＰＳにＳＩＰ−ＭＳのＫｅｙ−ＳＩＰ−ＵＲＩが登録および登録解除自在な中核通信ノードとからなる通信ネットワークシステムにおいて、
中核通信ノードを介して、中核通信ノードのＳＩＰ−ＭＳと、ＳＩＰ−ＰＳまたはＳＩＰ−ＦＰＳとの間で双方向の通信が可能に構成されるとともに、
ＳＩＰ−ＰＳまたはＳＩＰ−ＦＰＳと、該ＳＩＰ−ＰＳまたはＳＩＰ−ＦＰＳにＫｅｙ−ＳＩＰ−ＵＲＩが登録されたＳＩＰ−ＭＳとの間において、ＳＩＰでのシグナリング処理が可能であることが特徴である通信ネットワークシステム。
【請求項７】
シグナリングネットワークを構成しない通信ノード（以下、請求の範囲において「一般通信ノード」という。）のＳＩＰにおけるアドレスがＩＰネットワークのＳＩＰ−ＰＳまたはＳＩＰ−ＦＰＳに登録および登録解除自在であって、
ＳＩＰ−ＰＳまたはＳＩＰ−ＦＰＳと、該ＳＩＰ−ＰＳまたはＳＩＰ−ＦＰＳに登録された一般通信ノードとの間で双方向の通信が可能であるとともに、ＳＩＰでのシグナリング処理が可能である、請求の範囲６に記載の通信ネットワークシステム。
【請求項８】
ＩＰネットワークに、セッション開始プロトコル登録サーバ（以下、請求の範囲において「ＳＩＰ−Ｒ」という。）あるいはさらにセッション開始プロトコルリダイレクトサーバ（以下、請求の範囲において「ＳＩＰ−ＲＳ」という。）を備える、請求の範囲６または７に記載の通信ネットワークシステム。
【請求項９】
請求の範囲６ないし８いずれかに記載の通信ネットワークシステムにおいて、
発信元通信ノードから、Ｋｅｙ−ＳＩＰ−ＵＲＩによって指定された着信側ＳＩＰ−ＭＳへの接続要求メッセージを、ＩＰネットワークのＳＩＰ−ＰＳまたはＳＩＰ−ＦＰＳに送信し、
次いで、該接続要求メッセージを受信したＩＰネットワークのＳＩＰ−ＰＳまたはＳＩＰ−ＦＰＳは、
該ＳＩＰ−ＰＳまたはＳＩＰ−ＦＰＳに着信側ＳＩＰ−ＭＳのＫｅｙ−ＳＩＰ−ＵＲＩが登録されている場合には、着信側ＳＩＰ−ＭＳに上記接続要求メッセージを送信し、
該接続要求メッセージを受信したＩＰネットワークのＳＩＰ−ＰＳまたはＳＩＰ−ＦＰＳに、着信側ＳＩＰ−ＭＳのＫｅｙ−ＳＩＰ−ＵＲＩが登録されていない場合には、ＩＰネットワークの他のＳＩＰ−ＰＳまたはＳＩＰ−ＦＰＳとの間で上記接続要求メッセージを転送することで、
ＩＰネットワークを経由して、上記接続要求メッセージを指定された着信側ＳＩＰ−ＭＳに送信し、
次いで、上記接続要求メッセージを受信した着信側ＳＩＰ−ＭＳは、該着信側ＳＩＰ−ＭＳに登録されているＣＡ−ＳＩＰ−ＵＲＩとＣＮ−ＳＩＰ−ＵＲＩを用いて、各通信アプリケーションおよび周辺通信ノードに上記接続要求メッセージを並列に同時送信し、
上記接続要求メッセージを送信された各通信アプリケーションおよび周辺通信ノードの中から選択された１つの通信アプリケーションまたは周辺通信ノードから、上記接続要求メッセージが経由した通信経路を逆経由して発信元通信ノードに対して接続応答メッセージを送信し、
上記接続応答メッセージが発信元通信ノードに受信されることで、
発信元通信ノードと、上記選択された１つの通信アプリケーションまたは周辺通信ノードとの間にセッションが確立されることによって相互に通信可能となることを特徴とする通信ネットワークシステムにおける通信方法。
【請求項１０】
発信元通信ノードが中核通信ノードであり、発信元通信ノードに実装された通信アプリケーションから、少なくともＫｅｙ−ＳＩＰ−ＵＲＩによって指定された着信側ＳＩＰ−ＭＳへの接続要求メッセージを、発信元通信ノードのＳＩＰ−ＭＳに送信することによって、上記着信側で選択された１つの通信アプリケーションまたは周辺通信ノードとの間にセッションが確立されて相互に通信可能となる請求の範囲９に記載の通信ネットワークシステムにおける通信方法。
【請求項１１】
発信元通信ノードが周辺通信ノードであり、該周辺通信ノードから、該周辺通信ノードのＣＮ−ＳＩＰ−ＵＲＩが登録されたシグナリングネットワークの中核通信ノードのＳＩＰ−ＭＳに、少なくともＫｅｙ−ＳＩＰ−ＵＲＩによって指定された着信側ＳＩＰ−ＭＳへの接続要求メッセージを送信することによって、上記着信側で選択された１つの通信アプリケーションまたは周辺通信ノードとの間にセッションが確立されて相互に通信可能となる請求の範囲９に記載の通信ネットワークシステムにおける通信方法。
【請求項１２】
発信元通信ノードが一般通信ノードである、請求の範囲９に記載の通信ネットワークシステムにおける通信方法。
【請求項１３】
削除
【請求項１４】
削除
【請求項１５】
ＩＰネットワークに備わるＳＩＰ−ＰＳまたはＳＩＰ−ＦＰＳに、Ｋｅｙ−ＳＩＰ−ＵＲＩが登録および登録解除自在である請求の範囲１に記載の中核通信ノード。
【手続補正００２】
【補正対象書類名】明細書
【補正対象項目名】０００６
【補正方法】変更
【補正の内容】
【０００６】
ここで、第１図、第２図を基に、一例として、通信システム利用者（以下、ユーザという。）が複数の通信ノードや、通信ノードに実装される通信アプリケーションを利用して、マルチメディア通信を行う際の、ＳＩＰ−ＦＰＳを介した従来的な通信システム構成と通信ステップ（シグナリング処理）を一例として説述する。なお、ここでの、ＳＩＰ−ＦＰＳは、登録サーバとしての機能を有するものとする。
第１図では、発信側ユーザは通信ノードとして、ＳＩＰ−ＵＡを備えたＩＰ固定電話（以下、「ＳＩＰ固定電話」という。）（１）を利用するものとする。このＳＩＰ固定電話（１）は、インターネットプロトコルを基礎とした通信ネットワーク（以下、ＩＰネットワークという。）（１３）に備わるＳＩＰ−ＦＰＳ（２）にアクセス可能とする。アクセス方法は、無線手段によるものでも有線手段によるものでもよいが、ここでは、無線方式とする。
一方、着信側ユーザは通信ノードとしてＳＩＰ−ＵＡを備えたＩＰ携帯電話（以下、「ＳＩＰ携帯電話」という。）（５）、可搬型パーソナルコンピュータまたは携帯情報端末のようなモバイルノード（１００）とを有し、このモバイルノード（１００）には通信アプリケーションであるＳＩＰ−ＵＡを備えたインスタントメッセンジャー（以下、「ＳＩＰ−ＩＭ」という。）（３）と、同じく通信アプリケーションであるＳＩＰ−ＵＡを備えたＩＰソフトウェア電話（以下、「ＳＩＰソフトウェア電話」という。）（４）とが実装されているものとする。
発信側ユーザのＳＩＰ固定電話（１）と着信側ユーザのＳＩＰソフトウェア電話（４）との間に無線通信のセッションを確立して、双方向の無線通信を行うには、以下のシグナリング処理によることとなる。
なお、第１図、第２図におけるシグナリング処理では、基本的には、上方から下方に向かって通信ステップが経過するものであるが、必ずしも逐一順次に処理されるものではなく、およそ並列処理されるステップも存在する。


【手続補正００３】
【補正対象書類名】明細書
【補正対象項目名】０００９
【補正方法】変更
【補正の内容】
【０００９】
ｎｃｈ＝３を並列して同時に転送することをいう。
また、以上第１図に示したセッションの確立などが可能となるには、第２図に示すように、それぞれＳＩＰ携帯電話（５）、ＳＩＰソフトウェア電話（４）、ＳＩＰ−ＩＭ（３）のアドレスが個々別々にＩＰネットワーク（１３）のＳＩＰ−ＦＰＳ（２）に登録されていなければならない（第２図における各ＲＥＧＩＳＴＥＲ項目と各２００  ＯＫに相当する。）。つまり、ＩＰネットワーク（１３）のＳＩＰ−ＦＰＳ（２）は、登録サーバの機能を有していて、このＳＩＰ−ＦＰＳ（２）に登録された通信ノードや通信アプリケーションに対して、ＩＮＶＩＴＥを並列に同時送信するのである。
ＲＥＧＩＳＴＥＲにおいては、登録時間（保持期限）が指定されていて（第２図では、Ｅｘｐｉｒｅｓ：の後に指定される数字（秒数）である。）、必要に応じて、この登録時間以内に、ＩＰネットワーク（１３）のＳＩＰ−ＦＰＳ（２）に再登録しなければならない。勿論、登録時間以内に再登録せず、一旦登録時間を経過した後に再登録するものでもよい。第２図では、ＳＩＰ−ＩＭ（３）の登録時間は１８００秒、ＳＩＰソフトウェア電話（４）の登録時間は６００秒、ＳＩＰ携帯電話（５）の登録時間は３６００秒であり、その登録時間以内に繰り返して再登録される様子の一部を示している。
このような通信システム構成と通信ステップ（シグナリング処理）では、次のような問題が生じる。
即ち、まず、ＩＰネットワークのＳＩＰ−ＦＰＳに対して、ユーザの有する通信ノードや通信アプリケーションの数だけ登録をしなければならない手間が生じる。また、例えばＳＩＰ携帯電話も直接ＩＰネットワークのＳＩＰ−ＦＰＳに登録を行うため、ユーザが所有し携行するＳＩＰ携帯電話と他の通信ノード（上記例では、モバイルノード（１００））との間で、相互の関連付けが希薄になる。


【手続補正００４】
【補正対象書類名】明細書
【補正対象項目名】００１３
【補正方法】変更
【補正の内容】
【００１３】
−ＦＰＳが１つまたは複数備えられたＩＰネットワークと、さらに、１つまたは複数の、請求の範囲５に記載のシグナリングネットワークおよび／または１つまたは複数の、ＩＰネットワークのＳＩＰ−ＰＳまたはＳＩＰ−ＦＰＳにＳＩＰ−ＭＳのＫｅｙ−ＳＩＰ−ＵＲＩが登録および登録解除自在な中核通信ノードとからなる通信ネットワークシステムにおいて、中核通信ノードを介して、中核通信ノードのＳＩＰ−ＭＳと、ＳＩＰ−ＰＳまたはＳＩＰ−ＦＰＳとの間で双方向の通信が可能に構成されるとともに、ＳＩＰ−ＰＳまたはＳＩＰ−ＦＰＳと、このＳＩＰ−ＰＳまたはＳＩＰ−ＦＰＳにＫｅｙ−ＳＩＰ−ＵＲＩが登録されたＳＩＰ−ＭＳとの間において、ＳＩＰでのシグナリング処理が可能であることが特徴である通信ネットワークシステムとする。
シグナリングネットワークを構成しない通信ノード（以下、「一般通信ノード」という。）のＳＩＰにおけるアドレスがＩＰネットワークのＳＩＰ−ＰＳまたはＳＩＰ−ＦＰＳに登録および登録解除自在であって、ＳＩＰ−ＰＳまたはＳＩＰ−ＦＰＳと、このＳＩＰ−ＰＳまたはＳＩＰ−ＦＰＳに登録された一般通信ノードとの間で双方向の通信が可能であるとともに、ＳＩＰでのシグナリング処理が可能な通信ネットワークシステムとしてもよい。
また、上記通信ネットワークシステムのＩＰネットワークには、セッション開始プロトコル登録サーバ（以下、「ＳＩＰ−Ｒ」という。）あるいはさらにセッション開始プロトコルリダイレクトサーバ（以下、「ＳＩＰ−ＲＳ」という。）を備えるようにしてもよい。
本発明である通信ネットワークシステムにおける通信方法は、上記の通信ネットワークシステムにおいて、発信元通信ノードから、Ｋｅｙ−ＳＩＰ−ＵＲＩによ


【手続補正００５】
【補正対象書類名】明細書
【補正対象項目名】００１６
【補正方法】変更
【補正の内容】
【００１６】
第１図は、ユーザが複数の通信ノードや、通信ノードに実装される通信アプリケーションを利用して、マルチメディア通信を行う際の、ＩＰネットワークのＳＩＰ−ＦＰＳを介した従来的な無線通信システム構成と通信ステップ（シグナリング処理）の一例を示した図である。第２図は、第１図に示す従来的な通信システム構成と通信ステップにおいて、通信ノードや通信アプリケーションを個々別々にＩＰネットワークのＳＩＰ−ＦＰＳに登録する様子を示した図である。第３図は、ユーザが複数の通信ノードや、通信ノードに実装される通信アプリケーションを利用して、ＳＩＰ−ＦＰＳを介してマルチメディア通信を行う際の、本発明における通信システム構成と通信ステップの一例を示した図である。第４図は、第３図に示す本発明における通信システム構成と通信ステップにおいて、通信ノードや通信アプリケーションを中核通信ノードのＳＩＰ−ＭＳに登録し、さらに、ＳＩＰ−ＭＳのＫｅｙ−ＳＩＰ−ＵＲＩをＩＰネットワークのＳＩＰ−ＦＰＳに登録する様子を示した図である。第５図は、本発明であるシグナリングネットワークの利点の１つを示す図である。第６図は、シグナリングネットワークにおける中核通信ノードの装置構成例の概略図である。第７図は、本発明である通信ネットワークシステムの概念図である。第８図は、ＩＰネットワークにＳＩＰ−ＲとＳＩＰ−ＲＳを設けた場合の通信方法の概念図である。
符号の指示部位は次のとおりである。１：ＳＩＰ固定電話、２：ＳＩＰ−ＦＰＳ、２’：ＳＩＰ−ＭＳ、３：ＳＩＰ−ＩＭ、４：ＳＩＰソフトウェア電話、５：ＳＩＰ携帯電話、６：中央演算処理装置、７：内部記憶処理装置、８：外部記憶装置、９：通信機器部、１０：通信制御部、１１：プロトコル処理部、１２：アドレス処理部、１３：ＩＰネットワーク、１４：アドレス格納領域、２０：一般通信ノード、３５：ＳＩＰ−ＲＳ、４０：ＳＩＰ−Ｒ、５０：シグナリングネットワーク、１００：モバイルノード、２００：中核モバイル


【手続補正００６】
【補正対象書類名】明細書
【補正対象項目名】００２０
【補正方法】変更
【補正の内容】
【００２０】
言すれば、中核通信ノードには、その内部において、ソフトウェアにおけるシグナリングネットワークが形成され、一方、中核通信ノードと周辺通信ノードとの間には、ハードウェアにおけるシグナリングネットワークが形成されるといえるからである。しかし、本文においては、用語の混乱を避けるため、単独の中核通信ノードをシグナリングネットワークとは称しないで、単に中核通信ノードと表現するものとする。
シグナリングネットワークにおいて、中核通信ノードが１つでなければならないという限定はない。シグナリングネットワークにおいて、複数の中核通信ノードが存在してもよい。そしてこの場合には、複数の中核通信ノードのうち１つを、主たる中核通信ノードして位置づけ、この主たる中核通信ノードのＳＩＰ−ＭＳに、他の従たる中核通信ノードのＳＩＰ−ＭＳのＫｅｙ−ＳＩＰ−ＵＲＩを登録するようにしてもよいし、あるいは、複数の中核通信ノードに主従の区別を設けず、中核通信ノードのＳＩＰ−ＭＳのＫｅｙ−ＳＩＰ−ＵＲＩを相互に登録するものとしてもよい。中核通信ノードと中核通信ノードとのアクセス方法は、既述した中核通信ノードと周辺通信ノードとのアクセス方法と同様でよい。
シグナリングネットワークの中核通信ノードと単独の中核通信ノードの各ＳＩＰ−ＭＳのＫｅｙ−ＳＩＰ−ＵＲＩは、後述するＩＰネットワークのＳＩＰ−ＰＳまたはＳＩＰ−ＦＰＳに登録されるものとする。
ＩＰネットワークは、本発明であるシグナリングネットワーク、中核通信ノード、一般通信ノード他にＬＡＮなどの通信ネットワークからのアクセスが可能であるインターネットプロトコルネットワークとする。ＩＰネットワークには、セッション開始プロトコルプロキシサーバ（ＳＩＰ−ＰＳ）またはＳＩＰ−ＦＰＳが設けられる。


【手続補正００７】
【補正対象書類名】明細書
【補正対象項目名】００２７
【補正方法】変更
【補正の内容】
【００２７】
また、以上第３図に示したシグナリング処理やセッションの確立などが可能となるために、第４図に示すように、ＳＩＰ携帯電話（５）、ＳＩＰソフトウェア電話（４）、ＳＩＰ−ＩＭ（３）のアドレスが個々別々に中核モバイルノード（２００）のＳＩＰ−ＭＳ（２’）に登録される（第４図における各ＲＥＧＩＳＴＥＲ  Ｅｘｐｉｒｅｓ：項目と各２００  ＯＫに相当する。）。一方、ＩＰネットワーク（１３）のＳＩＰ−ＦＰＳまたはＳＩＰ−ＰＳ（上記実施形態例ではＳＩＰ−ＦＰＳ（２））には、中核モバイルノード（２００）のＳＩＰ−ＭＳ（２’）のＫｅｙ−ＳＩＰ−ＵＲＩが登録される。
ＲＥＧＩＳＴＥＲリクエストにおいては、登録時間（保持期限）が指定されていて（第４図では、Ｅｘｐｉｒｅｓ：の後に指定される数字（秒数）である。）、必要に応じて、この登録時間以内に再登録しなければならない。勿論、登録時間以内に再登録せず、一旦登録時間を経過した後に再登録するものでもよい。第４図では、ＳＩＰ−ＩＭ（３）の登録時間は１８００秒、ＳＩＰソフトウェア電話（４）の登録時間は６００秒、ＳＩＰ携帯電話（５）の登録時間は３６００秒、ＳＩＰ−ＭＳ（２’）の登録時間は３６００秒であり、その登録時間以内に繰り返して再登録される様子の一部を示している。第２図に示した登録とは異なり、本発明においては、ＩＰネットワーク（１３）のＳＩＰ−ＦＰＳ（２）へのＲＥＧＩＳＴＥＲリクエストは、中核モバイルノード（２００）のＳＩＰ−ＭＳ（２’）のみなされる。また、シグナリングネットワーク（５０）においては、ＳＩＰ−ＩＭ（３）、ＳＩＰソフトウェア電話（４）、ＳＩＰ携帯電話（５）のＲＥＧＩＳＴＥＲリクエストは、中核モバイルノード（２００）のＳＩＰ−ＭＳ（２’）に対してなされる。
このように、セッションを確立するためのＳＩＰメッセージの送信やＩＰネットワークのＳＩＰ−ＰＳまたはＳＩＰ−ＦＰＳへのユーザの有する通信ノ


【手続補正００８】
【補正対象書類名】明細書
【補正対象項目名】００３１
【補正方法】変更
【補正の内容】
【００３１】
を参照して具体的に説述する。なお、第５図におけるＤａｔａ  Ｂａｓｅは、例えば上述したアドレス格納領域（１４）などである。
ユーザが職場で仕事をしている場合には、ユーザのシグナリングネットワークを構成する中核通信ノードのＳＩＰ−ＭＳに、職場の周辺通信ノードであるＳＩＰ固定電話（第５図では、Ｗｏｒｋと添記されたＳＩＰ  Ｆｉｘｅｄ  Ｐｈｏｎｅである。）のアドレスを登録（ＲＥＧＩＳＴＥＲ）させる。一方、仕事が終わり、私的な生活環境においては、職場のＳＩＰ固定電話のＳＩＰ−ＭＳへの登録を解除して、ユーザの同じシグナリングネットワークを構成する中核通信ノードに、ユーザが個人で所有するＳＩＰ携帯電話（第５図では、Ｐｒｉｖａｔｅと添記されたＳＩＰ  Ｃｅｌｌ  Ｐｈｏｎｅである。）のアドレスを登録（ＲＥＧＩＳＴＥＲ）させる。職場のＳＩＰ固定電話のＳＩＰ−ＭＳへの登録解除は、ユーザが手動で解除するものでもよいし、上述のとおり登録の保持期間があるので、保持期限後に繰り返して登録しないようにするものでもよい。
ところで、ユーザのシグナリングネットワークを構成する中核通信ノードのＳＩＰ−ＭＳのＫｅｙ−ＳＩＰ−ＵＲＩは、ＩＰネットワークのＳＩＰ−ＰＳまたはＳＩＰ−ＦＰＳに繰り返して登録（ＲＥＧＩＳＴＥＲ）される（勿論、登録の必要がなければ、登録を解除するなりあるいは登録の繰り返しを中止するものでもよいが、ここでは説明の便宜上、繰り返して登録するものとしているにすぎない。）。
従って、上述の如くシグナリングネットワークを構成する周辺通信ノードや通信アプリケーションに変更があったとしても、ＩＰネットワークのＳＩＰ−ＰＳまたはＳＩＰ−ＦＰＳに登録されるアドレスは、シグナリングネットワークのＳＩＰ−ＭＳのＫｅｙ−ＳＩＰ−ＵＲＩのみであって、変更された周辺通信ノードや通信アプリケーションのアドレス（ＣＮ−ＳＩＰ−ＵＲＩ、ＣＡ−ＳＩＰ−ＵＲＩ）を逐一登録する手間がなくなる。このことは、周辺通信ノードや通信アプリケーションの変更のたびになされる、ＩＰネットワークのＳＩＰ−ＰＳまたはＳ


【手続補正００９】
【補正対象書類名】図面
【補正対象項目名】図９
【補正方法】削除
【補正の内容】
【国際調査報告】
2004075518.tif 000012
2004075518.tif 000013
2004075518.tif 000014
2004075518.tif 000015
2004075518.tif 000016